(57)【要約】【課題】画像に関連付けられた電子文書を容易に取得する。【解決手段】利用者に追記され且つ二次元バーコードが付加された紙文書から読み込まれた画像を入力処理する画像入力処理部と、入力処理部により入力処理された画像に付加された二次元バーコードに含まれている領域対応情報を抽出する情報抽出部と、領域対応情報に基づいて利用者に追記された領域と対応付けられた電子文書を取得する電子文書取得部と、を備えた。【選択図】        図１
2006229874.tif 000002
【特許請求の範囲】
【請求項１】
装置で読み取り可能な埋込情報が付加された画像を入力処理する画像入力処理手段と、
前記画像入力処理手段により入力処理された前記画像に付加された前記埋込情報に含まれている情報を抽出する情報抽出手段と、
前記情報抽出手段により抽出された前記埋込情報に含まれている情報に基づいて保存場所が特定される電子文書を取得する電子文書取得手段と、
を備えたことを特徴とする情報処理装置。
【請求項２】
前記画像入力処理手段は、読み込まれる対象である紙文書内の予め定められた領域を示す領域情報と、該領域毎に算出された特徴情報を対応付けた領域対応情報を含んだ前記埋込情報が付加されている該紙文書から読み込まれた前記画像を入力処理し、
前記情報抽出手段は、前記画像入力処理手段により入力処理された前記画像に付加されていた前記埋込情報から前記領域対応情報を抽出し、
前記画像入力処理手段により入力処理された前記画像内で前記紙文書の前記予め定められた領域に対応する領域から算出された前記特徴情報と、前記情報抽出手段により抽出された前記領域対応情報で前記予め定められた領域を示す前記領域情報と対応付けられた前記特徴情報を比較して入力処理される前の前記紙文書の前記予め定められた領域に追記されていたか否か判断する判断手段を、さらに備え、
前記判断手段により追記されたと判断された前記予め定められた領域に対応付けられた所定の処理を行うことを特徴とする請求項１に記載の情報処理装置。
【請求項３】
前記電子文書取得手段は、前記判断手段により前記予め定められた領域で追記されたと判断した場合、追記された前記予め定められた領域と対応付けられた前記電子文書を取得することを特徴とする請求項２に記載の情報処理装置。
【請求項４】
前記画像入力処理手段は、前記領域対応情報及び出力処理される前の電子文書の保存先情報を含んだ前記埋込情報が付加されている前記画像を入力処理し、
前記情報抽出手段は、さらに前記画像入力処理手段により入力処理された前記画像に付加されている前記埋込情報から前記保存先情報を抽出し、
前記電子文書取得手段は、前記情報抽出手段により抽出された前記保存先情報で示される保存先から前記電子文書を取得し、
前記電子文書取得手段により取得された前記電子文書の領域内で、前記判断手段により追記されたと判断された前記予め定められた領域に対応する領域に対して予め定められた加工処理を行う領域加工処理手段を、さらに備えたことを特徴とする請求項２に記載の情報処理装置。
【請求項５】
前記画像入力処理手段は、電子文書のネットワーク上の保存先を示したＵＲＬ情報を含んだ前記埋込情報が付加されている前記画像を入力処理し、
前記情報抽出手段は、前記画像入力処理手段により入力された前記画像に付加されていた前記埋込情報から前記ＵＲＬ情報を抽出し、
前記電子文書取得手段は、前記情報抽出手段により抽出された前記ＵＲＬ情報で示された保存先からネットワークを介して電子文書を取得することを特徴とする請求項１に記載の情報処理装置。
【請求項６】
前記電子文書取得手段は、前記情報抽出手段により抽出された前記ＵＲＬ情報で示された保存先から前記画像で示されるページを含む電子文書全体を取得することを特徴とする請求項５に記載の情報処理装置。
【請求項７】
前記画像入力処理手段は、装置で読み取り可能な前記埋込情報が付加され且つ所定の電子文書の概要が表示される前記画像を入力処理し、
前記電子文書取得手段は、前記情報抽出手段により抽出された前記埋込情報に含まれている情報に基づいて保存場所が特定された前記所定の電子文書を取得することを特徴とする請求項１に記載の情報処理装置。
【請求項８】
前記画像入力処理手段は、装置で読み取り可能な前記埋込情報が付加され且つ色数が２値で表示されている紙文書から読み込まれた前記画像を入力処理し、
前記電子文書取得手段は、前記情報抽出手段により抽出された前記埋込情報に基づいて保存場所が特定された色数が多値で表示される電子文書を取得することを特徴とする請求項１乃至７のいずれか１つに記載の情報処理装置。
【請求項９】
利用者からの文字列の入力を受け付ける文字列入力受付手段と、
前記文字列入力受付手段により受け付けられた前記文字列を用いて、前記電子文書取得手段により取得された前記電子文書内の検索を行う文字列検索手段と、
前記文字列検索手段により検索された前記文字列を含む予め定められた抽出領域を取得する領域取得手段と、
をさらに備えたことを特徴とする請求項１乃至８のいずれか１つに記載の情報処理装置。
【請求項１０】
前記領域取得手段は、予め定められた前記抽出領域として前記文字列を含むページ、段落、行又は文字列を中心とした予め定められた範囲内の領域を取得することを特徴とする請求項９に記載の情報処理装置。
【請求項１１】
前記電子文書取得手段で取得した前記電子文書のうち、前記領域取得手段で取得した前記領域内の前記文字列を視覚的に強調して表示する表示処理手段をさらに備えたことを特徴とする請求項９又は１０に記載の情報処理装置。
【請求項１２】
前記電子文書取得手段で取得した前記電子文書を、予め定められた加工処理を行う加工処理手段をさらに備えたことを特徴とする請求項１乃至１１のいずれか１つに記載の情報処理装置。
【請求項１３】
利用者の認証を行う利用者認証手段と、
前記加工処理手段は、前記利用者認証手段により認証された前記利用者毎に予め定められた前記加工処理を行うことを特徴とする請求項１２に記載の情報処理装置。
【請求項１４】
前記加工処理手段は、前記電子文書取得手段で取得した前記電子文書を、レイアウト、色調、文字の大きさ、文字のフォント、文字のスタイル、文字の色のいずれか１つ又は複数の組合せで加工処理を行うことを特徴とする請求項１２又は１３に記載の情報処理装置。
【請求項１５】
前記電子文書を記憶する記憶手段と、
前記電子文書取得手段で取得した前記電子文書を前記記憶手段に保存する保存手段と、
をさらに備えたことを特徴とする請求項１乃至１４のいずれか１つに記載の情報処理装置。
【請求項１６】
前記電子文書取得手段で取得した前記電子文書を保存して良いか否かの確認を表示処理してから、入力装置から保存して良いか否かの入力を受け付ける保存受付手段と、
前記保存手段は、前記保存受付手段により前記入力装置から保存して良いとの入力を受け付けた場合に、前記電子文書取得手段で取得した前記電子文書を保存することを特徴とする請求項１５に記載の情報処理装置。
【請求項１７】
前記電子文書取得手段で取得した前記電子文書を出力処理する出力処理手段、をさらに備えたことを特徴とする請求項１乃至１６のいずれか１つに記載の情報処理装置。
【請求項１８】
前記画像入力処理手段は、出力時に用いられる出力設定情報をさらに含んだ前記埋込情報が付加されている前記画像を入力処理し、
前記情報抽出手段は、さらに前記画像入力処理手段により入力処理された前記画像に付加された前記埋込情報に含まれている前記出力設定情報を抽出し、
前記出力処理手段は、前記電子文書取得手段で取得した前記電子文書を、前記情報抽出手段で抽出された前記出力設定情報を用いて出力処理を行うこと
を特徴とする請求項１７に記載の情報処理装置。
【請求項１９】
前記電子文書取得手段で取得した前記電子文書を出力して良いか否かの確認を表示処理してから、入力装置から出力して良いか否かの入力を受け付ける出力受付手段と、
前記出力処理手段は、前記出力受付手段により前記入力装置から出力して良いとの入力を受け付けた場合に、前記電子文書取得手段で取得した前記電子文書を出力処理することを特徴とする請求項１８に記載の情報処理装置。
【請求項２０】
装置で読み取り可能な埋込情報として文字、バーコード、ドット、幾何学パターン及び電子透かしのいずれか１つ又は組合せが付加された画像を入力処理する画像入力処理手段と、
前記情報抽出手段は、前記画像入力処理手段により入力処理された前記画像に付加された文字、バーコード、ドット、幾何学パターン及び電子透かしのいずれか１つ又は組合せから前記情報を抽出することを特徴とする請求項１乃至１９いずれか一つに記載の情報処理装置。
【請求項２１】
装置で読み取り可能な埋込情報が付加された画像を入力処理する画像入力処理ステップと、
前記画像入力処理ステップにより入力処理された前記画像に付加された前記埋込情報に含まれている情報を抽出する情報抽出ステップと、
前記情報抽出ステップにより抽出された前記埋込情報に含まれている前記情報に基づいて保存場所が特定される電子文書を取得する電子文書取得ステップと、
を備えたことを特徴とする情報処理方法。
【請求項２２】
前記画像入力処理ステップは、読み込まれる対象である紙文書内の予め定められた領域を示す領域情報と、該領域毎に算出された特徴情報を対応付けた領域対応情報を含んだ前記埋込情報が付加されている該紙文書から読み込まれた前記画像を入力処理し、
前記情報抽出ステップは、前記画像入力処理ステップにより入力処理された前記画像に付加されていた前記埋込情報から前記領域対応情報を抽出し、
前記画像入力処理ステップにより入力処理された前記画像内で前記紙文書の前記予め定められた領域に対応する領域から算出された前記特徴情報と、前記情報抽出ステップにより抽出された前記領域対応情報で前記予め定められた領域を示す前記領域情報と対応付けられた前記特徴情報を比較して入力処理される前の前記紙文書の前記予め定められた領域に追記されていたか否か判断する判断ステップを、さらに備え、
前記判断ステップにより追記されたと判断された前記予め定められた領域に対応付けられた所定の処理を行うことを特徴とする請求項２１に記載の情報処理方法。
【請求項２３】
前記電子文書取得ステップは、前記判断ステップにより前記予め定められた領域で追記されたと判断した場合、追記された前記予め定められた領域と対応付けられた前記電子文書を取得することを特徴とする請求項２２に記載の情報処理方法。
【請求項２４】
前記画像入力処理ステップは、前記領域対応情報及び出力処理される前の電子文書の保存先情報を含んだ前記埋込情報が付加されている前記画像を入力処理し、
前記情報抽出ステップは、さらに前記画像入力処理ステップにより入力処理された前記画像に付加されている前記埋込情報から前記保存先情報を抽出し、
前記電子文書取得ステップは、前記情報抽出ステップにより抽出された前記保存先情報で示される保存先から前記電子文書を取得し、
前記電子文書取得ステップにより取得された前記電子文書の領域内で、前記判断ステップにより追記されたと判断された前記予め定められた領域に対応する領域に対して予め定められた加工処理を行う領域加工処理ステップを、さらに備えたことを特徴とする請求項２２に記載の情報処理方法。
【請求項２５】
前記画像入力処理ステップは、電子文書のネットワーク上の保存先を示したＵＲＬ情報を含んだ前記埋込情報が付加されている前記画像を入力処理し、
前記情報抽出ステップは、前記画像入力処理ステップにより入力された前記画像に付加されていた前記埋込情報から前記ＵＲＬ情報を抽出し、
前記電子文書取得ステップは、前記情報抽出ステップにより抽出された前記ＵＲＬ情報で示された保存先からネットワークを介して電子文書を取得することを特徴とする請求項２１に記載の情報処理方法。
【請求項２６】
前記電子文書取得ステップは、前記情報抽出ステップにより抽出された前記ＵＲＬ情報で示された保存先から前記画像で示されるページを含む電子文書全体を取得することを特徴とする請求項２５に記載の情報処理方法。
【請求項２７】
前記画像入力処理ステップは、装置で読み取り可能な前記埋込情報が付加され且つ所定の電子文書の概要が記載されている前記画像を入力処理し、
前記電子文書取得ステップは、前記情報抽出ステップにより抽出された前記埋込情報に含まれている情報に基づいて保存場所が特定された前記所定の電子文書を取得することを特徴とする請求項２１に記載の情報処理方法。
【請求項２８】
前記画像入力処理ステップは、装置で読み取り可能な前記埋込情報が付加され且つ色数が２値で表示されている紙文書から読み込まれた前記画像を入力処理し、
前記電子文書取得ステップは、前記情報抽出ステップにより抽出された前記埋込情報に基づいて保存場所が特定された色数が多値で表示される電子文書を取得することを特徴とする請求項２１乃至２７のいずれか１つに記載の情報処理方法。
【請求項２９】
利用者からの文字列の入力を受け付ける文字列入力受付ステップと、
前記文字列入力受付ステップにより受け付けられた前記文字列を用いて、前記電子文書取得ステップにより取得された前記電子文書内の検索を行う文字列検索ステップと、
前記文字列検索ステップにより検索された前記文字列を含む予め定められた抽出領域を取得する領域取得ステップと、
をさらに備えたことを特徴とする請求項２１乃至２８のいずれか１つに記載の情報処理方法。
【請求項３０】
前記領域取得ステップは、予め定められた前記抽出領域として前記文字列を含むページ、段落、行又は文字列を中心とした予め定められた範囲内の領域を取得することを特徴とする請求項２９に記載の情報処理方法。
【請求項３１】
前記電子文書取得ステップで取得した前記電子文書のうち、前記領域取得ステップで取得した前記領域内の前記文字列を視覚的に強調して表示する表示処理ステップをさらに備えたことを特徴とする請求項２９又は３０に記載の情報処理方法。
【請求項３２】
前記電子文書取得ステップで取得した前記電子文書を、予め定められた加工処理を行う加工処理ステップをさらに備えたことを特徴とする請求項２１乃至３１のいずれか１つに記載の情報処理方法。
【請求項３３】
利用者の認証を行う利用者認証ステップと、
前記加工処理ステップは、前記利用者認証ステップにより認証された前記利用者毎に予め定められた前記加工処理を行うことを特徴とする請求項３２に記載の情報処理方法。
【請求項３４】
前記加工処理ステップは、前記電子文書取得ステップで取得した前記電子文書を、レイアウト、色調、文字の大きさ、文字のフォント、文字のスタイル、文字の色のいずれか１つ又は複数の組合せで加工処理を行うことを特徴とする請求項３２又は３３に記載の情報処理方法。
【請求項３５】
前記電子文書を記憶する記憶ステップと、
前記電子文書取得ステップで取得した前記電子文書を前記記憶ステップに保存する保存ステップと、
をさらに備えたことを特徴とする請求項２１乃至３４のいずれか１つに記載の情報処理方法。
【請求項３６】
前記電子文書取得ステップで取得した前記電子文書を保存して良いか否かの確認を表示処理してから、入力装置から保存して良いか否かの入力を受け付ける保存受付ステップと、
前記保存ステップは、前記保存受付ステップにより前記入力装置から保存して良いとの入力を受け付けた場合に、前記電子文書取得ステップで取得した前記電子文書を保存することを特徴とする請求項３５に記載の情報処理方法。
【請求項３７】
前記電子文書取得ステップで取得した前記電子文書を出力処理する出力処理ステップ、をさらに備えたことを特徴とする請求項２１乃至３６のいずれか１つに記載の情報処理方法。
【請求項３８】
前記画像入力処理ステップは、出力時に用いられる出力設定情報をさらに含んだ前記埋込情報が付加されている前記画像を入力処理し、
前記情報抽出ステップは、さらに前記画像入力処理ステップにより入力処理された前記画像に付加された前記埋込情報に含まれている前記出力設定情報を抽出し、
前記出力処理ステップは、前記電子文書取得ステップで取得した前記電子文書を、前記情報抽出ステップで抽出された前記出力設定情報を用いて出力処理を行うこと
を特徴とする請求項３７に記載の情報処理方法。
【請求項３９】
前記電子文書取得ステップで取得した前記電子文書を出力して良いか否かの確認を表示処理してから、入力装置から出力して良いか否かの入力を受け付ける出力受付ステップと、
前記出力処理ステップは、前記出力受付ステップにより前記入力装置から出力して良いとの入力を受け付けた場合に、前記電子文書取得ステップで取得した前記電子文書を出力処理することを特徴とする請求項３８に記載の情報処理方法。
【請求項４０】
装置で読み取り可能な埋込情報として文字、バーコード、ドット、幾何学パターン及び電子透かしのいずれか１つ又は組合せが付加された画像を入力処理する画像入力処理ステップと、
前記情報抽出ステップは、前記画像入力処理ステップにより入力処理された前記画像に付加された文字、バーコード、ドット、幾何学パターン及び電子透かしのいずれか１つ又は組合せから前記情報を抽出することを特徴とする請求項２１乃至３９のいずれか１つに記載の情報処理方法。
【請求項４１】
請求項２１乃至４０のいずれか１つに記載された情報処理方法をコンピュータで実行させることを特徴とする情報処理プログラム。
【請求項４２】
請求項４１に記載された情報処理プログラムを格納したコンピュータの読み取り可能な記録媒体。
【請求項４３】
紙文書の読み込みと印刷を行う画像形成装置と、画像を用いた処理を行う情報処理装置とを備え、
前記画像形成装置は、
装置で読み取り可能な埋込情報が付加された紙文書の読み込み処理を行い、紙文書の内容が含まれた画像を取得する読込手段と、
前記読込手段により取得した前記画像を前記情報処理装置に出力処理する出力処理手段と、
前記情報処理装置から入力された電子文書を印刷する印刷処理手段と、を備え、
前記情報処理装置は、
前記画像形成装置から入力された前記画像を入力処理する画像入力処理手段と、
前記画像入力処理手段により入力処理された前記画像に付加された前記埋込情報に含まれている情報を抽出する情報抽出手段と、
前記情報抽出手段により抽出された前記埋込情報に含まれている情報に基づいて保存場所が特定される電子文書を取得する電子文書取得手段と、
前記電子文書取得手段により取得した前記電子文書を前記情報処理装置に出力処理する出力処理手段と、を備えた
ことを特徴とする情報処理システム。
【発明の詳細な説明】
【技術分野】
【０００１】
本発明は、情報処理装置、情報処理方法、情報処理プログラム、コンピュータに読み取り可能な記録媒体及び情報処理システムに関するものであり、特に画像に付加された埋込情報に含まれている情報を用いて電子文書を取得する技術に関するものである。
【背景技術】
【０００２】
近年、コンピュータ関連技術の発達と共にオフィスのペーパレス化が進みつつある。このため、会議や打合せにおいて他の人に配布する紙文書も予めコンピュータで作成した電子文書をプリンタ等で出力したものであることが多い。
【０００３】
そして、紙文書を配布された利用者が元になった電子文書を直接モニタ上で参照したい場合も多く、紙文書から電子文書を取得する技術として種々のものが提案されている（例えば、特許文献１）。
【０００４】
また、紙文書に利用者がペン等で追記した情報に基づいて関連する情報を取得する技術として種々のものが提案されている（例えば特許文献２）。
【０００５】
【特許文献１】特開２００２−３５１８７７号公報
【特許文献２】特開平１０−２２８４６８号公報
【発明の開示】
【発明が解決しようとする課題】
【０００６】
しかしながら、特許文献１に示した発明では、電子文書を取得する技術に留まっており、利用者がペン等で紙文書に追記した事柄に基づいて装置に対して所定の処理を要求できないという問題がある。
【０００７】
一方、特許文献２では、ペン等で追記した場合、対応する電子文書と比較して差分を抽出して関連する情報を取得しているが、差分を抽出するために予め電子文書を取得している必要があるという問題がある。また、画像と取得した電子文書の差分を比較する場合、ハードウェアに負荷が掛かるという問題がある。
【０００８】
本発明は、上記に鑑みてなされたものであって、画像に関連付けられた電子文書を容易に取得する情報処理装置、情報処理方法、情報処理プログラム、コンピュータに読み取り可能な記録媒体及び情報処理システムを提供することを目的とする。
【課題を解決するための手段】
【０００９】
上述した課題を解決し、目的を達成するために、請求項１にかかる発明は、装置で読み取り可能な埋込情報が付加された画像を入力処理する画像入力処理手段と、前記画像入力処理手段により入力処理された前記画像に付加された前記埋込情報に含まれている情報を抽出する情報抽出手段と、前記情報抽出手段により抽出された前記埋込情報に含まれている情報に基づいて保存場所が特定される電子文書を取得する電子文書取得手段と、を備えたことを特徴とする。
【００１０】
また、請求項２にかかる発明は、請求項１にかかる発明において、前記画像入力処理手段は、読み込まれる対象である紙文書内の予め定められた領域を示す領域情報と、該領域毎に算出された特徴情報を対応付けた領域対応情報を含んだ前記埋込情報が付加されている該紙文書から読み込まれた前記画像を入力処理し、前記情報抽出手段は、前記画像入力処理手段により入力処理された前記画像に付加されていた前記埋込情報から前記領域対応情報を抽出し、前記画像入力処理手段により入力処理された前記画像内で前記紙文書の前記予め定められた領域に対応する領域から算出された前記特徴情報と、前記情報抽出手段により抽出された前記領域対応情報で前記予め定められた領域を示す前記領域情報と対応付けられた前記特徴情報を比較して入力処理される前の前記紙文書の前記予め定められた領域に追記されていたか否か判断する判断手段を、さらに備え、前記判断手段により追記されたと判断された前記予め定められた領域に対応付けられた所定の処理を行うことを特徴とする。
【００１１】
また、請求項３にかかる発明は、請求項２にかかる発明において、前記電子文書取得手段は、前記判断手段により前記予め定められた領域で追記されたと判断した場合、追記された前記予め定められた領域と対応付けられた前記電子文書を取得することを特徴とする。
【００１２】
また、請求項４にかかる発明は、請求項２にかかる発明において、前記画像入力処理手段は、前記領域対応情報及び出力処理される前の電子文書の保存先情報を含んだ前記埋込情報が付加されている前記画像を入力処理し、前記情報抽出手段は、さらに前記画像入力処理手段により入力処理された前記画像に付加されている前記埋込情報から前記保存先情報を抽出し、前記電子文書取得手段は、前記情報抽出手段により抽出された前記保存先情報で示される保存先から前記電子文書を取得し、前記電子文書取得手段により取得された前記電子文書の領域内で、前記判断手段により追記されたと判断された前記予め定められた領域に対応する領域に対して予め定められた加工処理を行う領域加工処理手段を、さらに備えたことを特徴とする。
【００１３】
また、請求項５にかかる発明は、請求項１にかかる発明において、前記画像入力処理手段は、電子文書のネットワーク上の保存先を示したＵＲＬ情報を含んだ前記埋込情報が付加されている前記画像を入力処理し、前記情報抽出手段は、前記画像入力処理手段により入力された前記画像に付加されていた前記埋込情報から前記ＵＲＬ情報を抽出し、前記電子文書取得手段は、前記情報抽出手段により抽出された前記ＵＲＬ情報で示された保存先からネットワークを介して電子文書を取得することを特徴とする。
【００１４】
また、請求項６にかかる発明は、請求項５にかかる発明において、前記電子文書取得手段は、前記情報抽出手段により抽出された前記ＵＲＬ情報で示された保存先から前記画像で示されるページを含む電子文書全体を取得することを特徴とする。
【００１５】
また、請求項７にかかる発明は、請求項１にかかる発明において、前記画像入力処理手段は、装置で読み取り可能な前記埋込情報が付加され且つ所定の電子文書の概要が表示される前記画像を入力処理し、前記電子文書取得手段は、前記情報抽出手段により抽出された前記埋込情報に含まれている情報に基づいて保存場所が特定された前記所定の電子文書を取得することを特徴とする。
【００１６】
また、請求項８にかかる発明は、請求項１〜７のいずれか一つにかかる発明において、前記画像入力処理手段は、装置で読み取り可能な前記埋込情報が付加され且つ色数が２値で表示されている紙文書から読み込まれた前記画像を入力処理し、前記電子文書取得手段は、前記情報抽出手段により抽出された前記埋込情報に基づいて保存場所が特定された色数が多値で表示される電子文書を取得することを特徴とする。
【００１７】
また、請求項９にかかる発明は、請求項１〜８のいずれか一つにかかる発明において、利用者からの文字列の入力を受け付ける文字列入力受付手段と、前記文字列入力受付手段により受け付けられた前記文字列を用いて、前記電子文書取得手段により取得された前記電子文書内の検索を行う文字列検索手段と、前記文字列検索手段により検索された前記文字列を含む予め定められた抽出領域を取得する領域取得手段と、をさらに備えたことを特徴とする。
【００１８】
また、請求項１０にかかる発明は、請求項９にかかる発明において、前記領域取得手段は、予め定められた前記抽出領域として前記文字列を含むページ、段落、行又は文字列を中心とした予め定められた範囲内の領域を取得することを特徴とする。
【００１９】
また、請求項１１にかかる発明は、請求項９又は１０にかかる発明において、前記電子文書取得手段で取得した前記電子文書のうち、前記領域取得手段で取得した前記領域内の前記文字列を視覚的に強調して表示する表示処理手段をさらに備えたことを特徴とする。
【００２０】
また、請求項１２にかかる発明は、請求項１〜１１のいずれか一つにかかる発明において、前記電子文書取得手段で取得した前記電子文書を、予め定められた加工処理を行う加工処理手段をさらに備えたことを特徴とする。
【００２１】
また、請求項１３にかかる発明は、請求項１２にかかる発明において、利用者の認証を行う利用者認証手段と、前記加工処理手段は、前記利用者認証手段により認証された前記利用者毎に予め定められた前記加工処理を行うことを特徴とする。
【００２２】
また、請求項１４にかかる発明は、請求項１２又は１３にかかる発明において、前記加工処理手段は、前記電子文書取得手段で取得した前記電子文書を、レイアウト、色調、文字の大きさ、文字のフォント、文字のスタイル、文字の色のいずれか１つ又は複数の組合せで加工処理を行うことを特徴とする。
【００２３】
また、請求項１５にかかる発明は、請求項１〜１４のいずれか一つにかかる発明において、前記電子文書を記憶する記憶手段と、前記電子文書取得手段で取得した前記電子文書を前記記憶手段に保存する保存手段と、をさらに備えたことを特徴とする。
【００２４】
また、請求項１６にかかる発明は、請求項１５にかかる発明において、前記電子文書取得手段で取得した前記電子文書を保存して良いか否かの確認を表示処理してから、入力装置から保存して良いか否かの入力を受け付ける保存受付手段と、前記保存手段は、前記保存受付手段により前記入力装置から保存して良いとの入力を受け付けた場合に、前記電子文書取得手段で取得した前記電子文書を保存することを特徴とする。
【００２５】
また、請求項１７にかかる発明は、請求項１〜１６のいずれか一つにかかる発明において、前記電子文書取得手段で取得した前記電子文書を出力処理する出力処理手段、をさらに備えたことを特徴とする。
【００２６】
また、請求項１８にかかる発明は、請求項１７にかかる発明において、前記画像入力処理手段は、出力時に用いられる出力設定情報をさらに含んだ前記埋込情報が付加されている前記画像を入力処理し、前記情報抽出手段は、さらに前記画像入力処理手段により入力処理された前記画像に付加された前記埋込情報に含まれている前記出力設定情報を抽出し、前記出力処理手段は、前記電子文書取得手段で取得した前記電子文書を、前記情報抽出手段で抽出された前記出力設定情報を用いて出力処理を行うことを特徴とする。
【００２７】
また、請求項１９にかかる発明は、請求項１８にかかる発明において、前記電子文書取得手段で取得した前記電子文書を出力して良いか否かの確認を表示処理してから、入力装置から出力して良いか否かの入力を受け付ける出力受付手段と、前記出力処理手段は、前記出力受付手段により前記入力装置から出力して良いとの入力を受け付けた場合に、前記電子文書取得手段で取得した前記電子文書を出力処理することを特徴とする。
【００２８】
また、請求項２０にかかる発明は、請求項１〜１９のいずれか一つにかかる発明において、装置で読み取り可能な埋込情報として文字、バーコード、ドット、幾何学パターン及び電子透かしのいずれか１つ又は組合せが付加された画像を入力処理する画像入力処理手段と、前記情報抽出手段は、前記画像入力処理手段により入力処理された前記画像に付加された文字、バーコード、ドット、幾何学パターン及び電子透かしのいずれか１つ又は組合せから前記情報を抽出することを特徴とする。
【００２９】
また、請求項２１にかかる発明は、装置で読み取り可能な埋込情報が付加された画像を入力処理する画像入力処理ステップと、前記画像入力処理ステップにより入力処理された前記画像に付加された前記埋込情報に含まれている情報を抽出する情報抽出ステップと、前記情報抽出ステップにより抽出された前記埋込情報に含まれている前記情報に基づいて保存場所が特定される電子文書を取得する電子文書取得ステップと、を備えたことを特徴とする。
【００３０】
また、請求項２２にかかる発明は、請求項２１にかかる発明において、前記画像入力処理ステップは、読み込まれる対象である紙文書内の予め定められた領域を示す領域情報と、該領域毎に算出された特徴情報を対応付けた領域対応情報を含んだ前記埋込情報が付加されている該紙文書から読み込まれた前記画像を入力処理し、前記情報抽出ステップは、前記画像入力処理ステップにより入力処理された前記画像に付加されていた前記埋込情報から前記領域対応情報を抽出し、前記画像入力処理ステップにより入力処理された前記画像内で前記紙文書の前記予め定められた領域に対応する領域から算出された前記特徴情報と、前記情報抽出ステップにより抽出された前記領域対応情報で前記予め定められた領域を示す前記領域情報と対応付けられた前記特徴情報を比較して入力処理される前の前記紙文書の前記予め定められた領域に追記されていたか否か判断する判断ステップを、さらに備え、前記判断ステップにより追記されたと判断された前記予め定められた領域に対応付けられた所定の処理を行うことを特徴とする。
【００３１】
また、請求項２３にかかる発明は、請求項２２にかかる発明において、前記電子文書取得ステップは、前記判断ステップにより前記予め定められた領域で追記されたと判断した場合、追記された前記予め定められた領域と対応付けられた前記電子文書を取得することを特徴とする。
【００３２】
また、請求項２４にかかる発明は、請求項２２にかかる発明において、前記画像入力処理ステップは、前記領域対応情報及び出力処理される前の電子文書の保存先情報を含んだ前記埋込情報が付加されている前記画像を入力処理し、前記情報抽出ステップは、さらに前記画像入力処理ステップにより入力処理された前記画像に付加されている前記埋込情報から前記保存先情報を抽出し、前記電子文書取得ステップは、前記情報抽出ステップにより抽出された前記保存先情報で示される保存先から前記電子文書を取得し、前記電子文書取得ステップにより取得された前記電子文書の領域内で、前記判断ステップにより追記されたと判断された前記予め定められた領域に対応する領域に対して予め定められた加工処理を行う領域加工処理ステップを、さらに備えたことを特徴とする。
【００３３】
また、請求項２５にかかる発明は、請求項２１にかかる発明において、前記画像入力処理ステップは、電子文書のネットワーク上の保存先を示したＵＲＬ情報を含んだ前記埋込情報が付加されている前記画像を入力処理し、前記情報抽出ステップは、前記画像入力処理ステップにより入力された前記画像に付加されていた前記埋込情報から前記ＵＲＬ情報を抽出し、前記電子文書取得ステップは、前記情報抽出ステップにより抽出された前記ＵＲＬ情報で示された保存先からネットワークを介して電子文書を取得することを特徴とする。
【００３４】
また、請求項２６にかかる発明は、請求項２５にかかる発明において、前記電子文書取得ステップは、前記情報抽出ステップにより抽出された前記ＵＲＬ情報で示された保存先から前記画像で示されるページを含む電子文書全体を取得することを特徴とする。
【００３５】
また、請求項２７にかかる発明は、請求項２１にかかる発明において、前記画像入力処理ステップは、装置で読み取り可能な前記埋込情報が付加され且つ所定の電子文書の概要が記載されている前記画像を入力処理し、前記電子文書取得ステップは、前記情報抽出ステップにより抽出された前記埋込情報に含まれている情報に基づいて保存場所が特定された前記所定の電子文書を取得することを特徴とする。
【００３６】
また、請求項２８にかかる発明は、請求項２１〜２７のいずれか一つにかかる発明において、前記画像入力処理ステップは、装置で読み取り可能な前記埋込情報が付加され且つ色数が２値で表示されている紙文書から読み込まれた前記画像を入力処理し、前記電子文書取得ステップは、前記情報抽出ステップにより抽出された前記埋込情報に基づいて保存場所が特定された色数が多値で表示される電子文書を取得することを特徴とする。
【００３７】
また、請求項２９にかかる発明は、請求項２１〜２８のいずれか一つにかかる発明において、利用者からの文字列の入力を受け付ける文字列入力受付ステップと、前記文字列入力受付ステップにより受け付けられた前記文字列を用いて、前記電子文書取得ステップにより取得された前記電子文書内の検索を行う文字列検索ステップと、前記文字列検索ステップにより検索された前記文字列を含む予め定められた抽出領域を取得する領域取得ステップと、をさらに備えたことを特徴とする。
【００３８】
また、請求項３０にかかる発明は、請求項２９にかかる発明において、前記領域取得ステップは、予め定められた前記抽出領域として前記文字列を含むページ、段落、行又は文字列を中心とした予め定められた範囲内の領域を取得することを特徴とする。
【００３９】
また、請求項３１にかかる発明は、請求項２９又は３０にかかる発明において、前記電子文書取得ステップで取得した前記電子文書のうち、前記領域取得ステップで取得した前記領域内の前記文字列を視覚的に強調して表示する表示処理ステップをさらに備えたことを特徴とする。
【００４０】
また、請求項３２にかかる発明は、請求項２１〜３１のいずれか一つにかかる発明において、前記電子文書取得ステップで取得した前記電子文書を、予め定められた加工処理を行う加工処理ステップをさらに備えたことを特徴とする。
【００４１】
また、請求項３３にかかる発明は、請求項３２にかかる発明において、利用者の認証を行う利用者認証ステップと、前記加工処理ステップは、前記利用者認証ステップにより認証された前記利用者毎に予め定められた前記加工処理を行うことを特徴とする。
【００４２】
また、請求項３４にかかる発明は、請求項３２又は３３にかかる発明において、前記加工処理ステップは、前記電子文書取得ステップで取得した前記電子文書を、レイアウト、色調、文字の大きさ、文字のフォント、文字のスタイル、文字の色のいずれか１つ又は複数の組合せで加工処理を行うことを特徴とする。
【００４３】
また、請求項３５にかかる発明は、請求項２１〜３４のいずれか一つにかかる発明において、前記電子文書を記憶する記憶ステップと、前記電子文書取得ステップで取得した前記電子文書を前記記憶ステップに保存する保存ステップと、をさらに備えたことを特徴とする。
【００４４】
また、請求項３６にかかる発明は、請求項３５にかかる発明において、前記電子文書取得ステップで取得した前記電子文書を保存して良いか否かの確認を表示処理してから、入力装置から保存して良いか否かの入力を受け付ける保存受付ステップと、前記保存ステップは、前記保存受付ステップにより前記入力装置から保存して良いとの入力を受け付けた場合に、前記電子文書取得ステップで取得した前記電子文書を保存することを特徴とする。
【００４５】
また、請求項３７にかかる発明は、請求項２１〜３６のいずれか一つにかかる発明において、前記電子文書取得ステップで取得した前記電子文書を出力処理する出力処理ステップ、をさらに備えたことを特徴とする。
【００４６】
また、請求項３８にかかる発明は、請求項３７にかかる発明において、前記画像入力処理ステップは、出力時に用いられる出力設定情報をさらに含んだ前記埋込情報が付加されている前記画像を入力処理し、前記情報抽出ステップは、さらに前記画像入力処理ステップにより入力処理された前記画像に付加された前記埋込情報に含まれている前記出力設定情報を抽出し、前記出力処理ステップは、前記電子文書取得ステップで取得した前記電子文書を、前記情報抽出ステップで抽出された前記出力設定情報を用いて出力処理を行うことを特徴とする。
【００４７】
また、請求項３９にかかる発明は、請求項３８にかかる発明において、前記電子文書取得ステップで取得した前記電子文書を出力して良いか否かの確認を表示処理してから、入力装置から出力して良いか否かの入力を受け付ける出力受付ステップと、前記出力処理ステップは、前記出力受付ステップにより前記入力装置から出力して良いとの入力を受け付けた場合に、前記電子文書取得ステップで取得した前記電子文書を出力処理することを特徴とする。
【００４８】
また、請求項４０にかかる発明は、請求項２１〜３９のいずれか一つにかかる発明において、装置で読み取り可能な埋込情報として文字、バーコード、ドット、幾何学パターン及び電子透かしのいずれか１つ又は組合せが付加された画像を入力処理する画像入力処理ステップと、前記情報抽出ステップは、前記画像入力処理ステップにより入力処理された前記画像に付加された文字、バーコード、ドット、幾何学パターン及び電子透かしのいずれか１つ又は組合せから前記情報を抽出することを特徴とする。
【００４９】
また、請求項４１にかかる発明は、請求項２１〜４０のいずれか１つに記載された情報処理方法をコンピュータで実行させることを特徴とする。
【００５０】
また、請求項４２にかかる発明は、請求項４１に記載された情報処理プログラムを格納したコンピュータの読み取り可能な記録媒体であることを特徴とする。
【００５１】
また、請求項４３にかかる発明は、紙文書の読み込みと印刷を行う画像形成装置と、画像を用いた処理を行う情報処理装置とを備え、前記画像形成装置は、装置で読み取り可能な埋込情報が付加された紙文書の読み込み処理を行い、紙文書の内容が含まれた画像を取得する読込手段と、前記読込手段により取得した前記画像を前記情報処理装置に出力処理する出力処理手段と、前記情報処理装置から入力された電子文書を印刷する印刷処理手段と、を備え、前記情報処理装置は、前記画像形成装置から入力された前記画像を入力処理する画像入力処理手段と、前記画像入力処理手段により入力処理された前記画像に付加された前記埋込情報に含まれている情報を抽出する情報抽出手段と、前記情報抽出手段により抽出された前記埋込情報に含まれている情報に基づいて保存場所が特定される電子文書を取得する電子文書取得手段と、前記電子文書取得手段により取得した前記電子文書を前記情報処理装置に出力処理する出力処理手段と、を備えたことを特徴とする。
【発明の効果】
【００５２】
請求項１にかかる発明によれば、入力処理された画像から電子文書を取得できるため、利用者が複雑な処理を行わずとも電子文書を取得できるので、利便性が向上するという効果を奏する。
【００５３】
また、請求項２にかかる発明によれば、画像内の予め定められた領域毎に追記されたか否か判断できるため、追記されたか否かに応じて処理を変更することができるので、利用者の利便性が向上するという効果を奏する。
【００５４】
また、請求項３にかかる発明によれば、紙文書等から入力処理された画像より追記された領域に対応する電子文書を取得できるので、簡単な操作で電子文書を取得できることになり、利便性が向上するという効果を奏する。
【００５５】
また、請求項４にかかる発明によれば、紙文書等から入力処理された画像に対応する電子文書を取得して、追記された領域に対応した加工処理が行われるため、簡単な操作で電子文書に対して加工処理が行われるので利便性が向上するという効果を奏する。
【００５６】
また、請求項５にかかる発明によれば、ＵＲＬ情報を含むことで、ネットワークを介して電子文書を取得できるので、自装置が保持していない場合でも利用者自ら取得する必要が無くなり、利便性が向上するという効果を奏する。
【００５７】
また、請求項６にかかる発明によれば、画像一枚であっても複数のページを含んだ電子文書全体を取得できるので、利便性が向上するという効果を奏する。
【００５８】
また、請求項７にかかる発明によれば、概要に含まれている電子文書全体を取得することができるので、利便性が向上するという効果を奏する。
【００５９】
また、請求項８にかかる発明によれば、色数が少ない画像から色数が多い電子文書を取得できるので、視認性が向上するという効果を奏する。
【００６０】
また、請求項９にかかる発明によれば、利用者から入力された文字列を取得した電子文書に対して検索し、文字列を含む領域を取得することで、例えば文字列を含む領域を表示処理する等の処理が可能になるので、利便性が向上するという効果を奏する。
【００６１】
また、請求項１０にかかる発明によれば、取得する領域としてページ、段落、行又は文字列を中心とした予め定められた範囲内を取得するので、この取得した領域を表示処理等できるため、利便性が向上するという効果を奏する。
【００６２】
また、請求項１１にかかる発明によれば、利用者により入力された文字列を強調して表示することで、利用者が注目すると考えられる領域を容易に特定できるため視認性が向上するという効果を奏する。
【００６３】
また、請求項１２にかかる発明によれば、取得した電子文書に対して加工処理を可能としたことで、利用者が要求する電子文書を提供することが可能になり、利便性が向上するという効果を奏する。
【００６４】
また、請求項１３にかかる発明によれば、取得した電子文書に対して利用者毎に異なる加工処理が行われるので、各利用者に適した電子文書を提供することが可能になり、利便性が向上するという効果を奏する。
【００６５】
また、請求項１４にかかる発明によれば、レイアウト、色調、文字の大きさ、文字のフォント、文字のスタイル、文字の色のいずれか１つ又は複数の組合せで利用者に適した加工処理を行うので、視認性が向上するという効果を奏する。
【００６６】
また、請求項１５にかかる発明によれば、取得した電子文書を保存することで、利用者が必要なときに参照することができるため、利便性が向上するという効果を奏する。
【００６７】
また、請求項１６にかかる発明によれば、保存するときに確認を行うことで、誤ったファイルに上書き等を防止できるため、利便性が向上するという効果を奏する。
【００６８】
また、請求項１７にかかる発明によれば、電子文書の出力処理を行うことで、例えば紙文書等で保持することができるため、利便性が向上するという効果を奏する。
【００６９】
また、請求項１８にかかる発明によれば、電子文書に埋め込まれた設定を用いて出力できるため、適した設定を用いて出力することができるので、利便性が向上するという効果を奏する。
【００７０】
また、請求項１９にかかる発明によれば、出力するときに確認を行うことで、誤って出力することを防止できるため、利便性が向上するという効果を奏する。
【００７１】
また、請求項２０にかかる発明によれば、文字、バーコード、ドット、幾何学パターン及び電子透かしのいずれか１つ又は組合せから情報を抽出するため、装置で情報を抽出できるので、紙媒体から入力処理された画像から情報を抽出できることとなり利用者の利便性が向上するという効果を奏する。
【００７２】
請求項２１にかかる発明によれば、入力処理された画像から電子文書を取得できるため、利用者が複雑な処理を行わずとも電子文書を取得できるので、利便性が向上するという効果を奏する。
【００７３】
また、請求項２２にかかる発明によれば、画像内の予め定められた領域毎に追記されたか否か判断できるため、追記されたか否かに応じて処理を変更することができるので、利用者の利便性が向上するという効果を奏する。
【００７４】
また、請求項２３にかかる発明によれば、紙文書等から入力処理された画像より追記された領域に対応する電子文書を取得できるので、簡単な操作で電子文書を取得できることになり、利便性が向上するという効果を奏する。
【００７５】
また、請求項２４にかかる発明によれば、紙文書等から入力処理された画像に対応する電子文書を取得して、追記された領域に対応した加工処理が行われるため、簡単な操作で電子文書に対して加工処理が行われるので利便性が向上するという効果を奏する。
【００７６】
また、請求項２５にかかる発明によれば、ＵＲＬ情報を含むことで、ネットワークを介して電子文書を取得できるので、自装置が保持していない場合でも利用者自ら取得する必要が無くなり、利便性が向上するという効果を奏する。
【００７７】
また、請求項２６にかかる発明によれば、画像一枚であっても複数のページを含んだ電子文書全体を取得できるので、利便性が向上するという効果を奏する。
【００７８】
また、請求項２７にかかる発明によれば、概要に含まれている電子文書全体を取得することができるので、利便性が向上するという効果を奏する。
【００７９】
また、請求項２８にかかる発明によれば、色数が少ない画像から色数が多い電子文書を取得できるので、視認性が向上するという効果を奏する。
【００８０】
また、請求項２９にかかる発明によれば、利用者から入力された文字列を取得した電子文書に対して検索し、文字列を含む領域を取得することで、例えば文字列を含む領域を表示処理する等の処理が可能になるので、利便性が向上するという効果を奏する。
【００８１】
また、請求項３０にかかる発明によれば、取得する領域としてページ、段落、行又は文字列を中心とした予め定められた範囲内を取得するので、この取得した領域を表示処理等できるため、利便性が向上するという効果を奏する。
【００８２】
また、請求項３１にかかる発明によれば、利用者により入力された文字列を強調して表示することで、利用者が注目すると考えられる領域を容易に特定できるため視認性が向上するという効果を奏する。
【００８３】
また、請求項３２にかかる発明によれば、取得した電子文書に対して加工処理を可能としたことで、利用者が要求する電子文書を提供することが可能になり、利便性が向上するという効果を奏する。
【００８４】
また、請求項３３にかかる発明によれば、取得した電子文書に対して利用者毎に異なる加工処理が行われるので、各利用者に適した電子文書を提供することが可能になり、利便性が向上するという効果を奏する。
【００８５】
また、請求項３４にかかる発明によれば、レイアウト、色調、文字の大きさ、文字のフォント、文字のスタイル、文字の色のいずれか１つ又は複数の組合せで利用者に適した加工処理を行うので、視認性が向上するという効果を奏する。
【００８６】
また、請求項３５にかかる発明によれば、取得した電子文書を保存することで、利用者が必要なときに参照することができるため、利便性が向上するという効果を奏する。
【００８７】
また、請求項３６にかかる発明によれば、保存するときに確認を行うことで、誤ったファイルに上書き等を防止できるため、利便性が向上するという効果を奏する。
【００８８】
また、請求項３７にかかる発明によれば、電子文書の出力処理を行うことで、例えば紙文書等で保持することができるため、利便性が向上するという効果を奏する。
【００８９】
また、請求項３８にかかる発明によれば、電子文書に埋め込まれた設定を用いて出力できるため、適した設定を用いて出力することができるので、利便性が向上するという効果を奏する。
【００９０】
また、請求項３９にかかる発明によれば、出力するときに確認を行うことで、誤って出力することを防止できるため、利便性が向上するという効果を奏する。
【００９１】
また、請求項４０にかかる発明によれば、文字、バーコード、ドット、幾何学パターン及び電子透かしのいずれか１つ又は組合せから情報を抽出するため、装置で情報を抽出できるので、紙媒体から入力処理された画像から情報を抽出できるので、利用者の利便性が向上するという効果を奏する。
【００９２】
また、請求項４１にかかる発明によれば、コンピュータに読み取らせて実行することによって、請求項２１から４０のいずれか一つに記載された情報処理方法をコンピュータの利用で実現することができ、これら各情報処理方法と同様の効果を奏する。
【００９３】
また、請求項４２にかかる発明によれば、請求項４１に記載された情報処理プログラムを格納した記録媒体であり、この記録媒体をコンピュータに読み込ませることで、情報処理プログラムを実行することが可能という効果を奏する。
【００９４】
また、請求項４３にかかる発明によれば、情報処理装置が、画像形成装置から入力された画像に付加された埋込情報に含まれている情報に基づいて取得した電子文書を画像形成装置に出力し、画像形成装置が印刷処理を行うことで、利用者が複雑な処理を行わずとも電子文書を取得できるので、利便性が向上するという効果を奏する。
【発明を実施するための最良の形態】
【００９５】
以下に添付図面を参照して、この発明にかかる情報処理装置、情報処理システム、情報処理方法、情報処理プログラム、コンピュータに読み取り可能な記録媒体及び情報処理システムの最良な実施の形態を詳細に説明する。
【００９６】
（第１の実施の形態）
第１の実施の形態では情報処理システムが情報処理装置及びＭＦＰで構成されている場合について説明する。そして、これらの情報処理システムは、公衆ネットワークを介して埋込文書生成装置と接続されていることとする。
【００９７】
図１は、本発明の第１の実施の形態にかかる情報処理装置１００、ＭＦＰ１７０及び公衆ネットワークを介して接続された埋込文書生成装置１５０の構成を示すブロック図である。本図に示すように埋込文書生成装置１５０で生成されたＱＲコード（登録商標）等の２次元バーコードが付加された紙文書を、ＭＦＰ１７０でスキャンした画像を情報処理装置１００に出力する。そして、情報処理装置１００は入力処理した画像に付加された二次元バーコードに含まれた情報を抽出して、公衆ネットワークを介して埋込文書生成装置１５０から関連する電子文書を取得する。さらに、情報処理装置１００は取得した電子文書をＭＦＰ１７０に送信し、ＭＦＰ１７０から印刷処理することも可能とする。また、ＭＦＰ１７０に送信する前に情報処理装置１００が取得した電子文書に対して予め加工処理等を行うこともできる。
【００９８】
本図に示すように埋込文書生成装置１５０の内部は、記憶部１５１と、対象文書取得部１５２と、領域分割部１５３と、関連文書取得部１５４と、関連文書登録部１５５と、領域特徴抽出部１５６と、埋込情報生成部１５７と、埋込情報付加部１５８と、埋込文書出力処理部１５９、通信部１６０と、関連文書取得部１６１と、を備え、出力する対象となる電子文書を行毎に分割して、各行の輝度値と各行に対応する関連文書を示す文書ＩＤを対応付けた領域対応情報を含んだ二次元バーコードを生成し、生成した二次元バーコードを電子文書に付加して出力処理を行う。
【００９９】
記憶部１５１は、電子文書及びＩＤ文書対応テーブルを記憶する。図２は埋込文書生成装置１５０が保持するＩＤ文書対応テーブルのテーブル構造を示した図である。本図に示すようにＩＤ文書対応テーブルは、文書ＩＤと文書ファイル名を対応付けて保持している。これにより文書ＩＤより対応付けられた文書ファイルを特定することができる。
【０１００】
対象文書取得部１５２は、出力する対象となる電子文書を取得する。電子文書の取得先は記憶部１５１に記憶された電子文書でも良いし、利用者が新たに生成した電子文書でも良い。また、図３で示した処理対象電子文書３０１を取得した場合の例について下記で説明していく。なお、図３は、本実施の形態における取得した電子文書から二次元バーコードを付加するまでの概要を示した説明図である。
【０１０１】
図１に戻り、領域分割部１５３は、取得した電子文書を行毎に分割を行う。図３の３０２で示したように分割した行毎に領域が設定されたこととする。
【０１０２】
関連文書取得部１５４は、分割された領域毎に適した関連する電子文書を取得する。行毎の関連した電子文書の取得方法はどのような方法を用いても良く、例えば利用者が行毎に対応する電子文書を設定し、関連文書取得部１５４が設定された電子文書をネットワーク上又は記憶部１５１から取得することが考えられる。
【０１０３】
関連文書登録部１５５は、取得した関連文書毎に固有の文書ＩＤを割り当て、記憶部１５１が記憶するＩＤ文書対応テーブルに割り当てた文書ＩＤと、関連文書の位置及びファイル名を対応付けて登録する。また、関連文書登録部１５５は、取得した関連文書を記憶部１５１に追加する。これにより文書ＩＤを用いてＩＤ文書対応テーブルを検索することで、文書ＩＤと対応付けられた関連文書のファイル名を取得でき、記憶部１５１から関連文書を取得することができる。
【０１０４】
領域特徴抽出部１５６は、出力する対象となる電子文書において分割された領域である行毎の輝度平均を算出する。この算出された輝度平均が、本発明の特徴情報に相当する。
【０１０５】
埋込情報生成部１５７は、算出された行毎の輝度平均値、関連文書登録部１５５で行毎の関連文書として割り当てられた文書ＩＤを対応付けた領域対応情報と、埋込文書生成装置１５０を特定するＵＲＬを含んだ二次元バーコードを生成する。また、埋込情報生成部１５７は、二次元バーコードに埋込文書生成装置１５０を特定するＵＲＬを含めることとする。これにより関連文書の取得先を特定することができる。図３の３０３は、二次元バーコードに埋め込む領域対応情報の一例を示したものであり、行番号と、輝度平均と、文書ＩＤが対応付けられていることを把握できる。そして、図３の３０４が、領域対応情報及び埋込文書生成装置１５０を特定するＵＲＬを含んだ情報から変換された二次元バーコードの一例を示したものである。これにより二次元バーコードが生成されたことになる。
【０１０６】
図１に戻り、埋込情報付加部１５８は、生成された二次元バーコードを出力する対象である電子文書に付加する。付加する領域について特に制限はないが、文書の内容が記載されていない領域に付与することが好ましい。図３の３０５は、埋込情報付加部１５８で二次元バーコードを付加して生成された電子文書の一例を示したものである。
【０１０７】
図１に戻り、埋込文書出力処理部１５９は、二次元バーコードを付加された電子文書を埋込文書生成装置１５０に接続されたプリンタ２０から紙文書１０として出力する処理を行う。これにより二次元バーコードが付加された紙文書１０を利用者が取得することができる。
【０１０８】
通信部１６０は、公衆ネットワーク６０に接続され、他の装置との送受信を行う。また、通信部１６０は、他の装置から文書ＩＤを受信した場合、文書ＩＤを後述する関連文書取得部１６１に出力し、関連文書取得部１６１から入力された関連文書を、文書ＩＤを送信した他の装置に送信する。
【０１０９】
関連文書取得部１６１は、文書ＩＤを入力された場合、ＩＤ文書対応テーブルを用いて文書ＩＤに対応付けられた関連文書を特定し、特定された関連文書を記憶部１５１から取得して、通信部１６０に出力する。
【０１１０】
埋込文書生成装置１５０は、上述した構成を備えることで、文書の領域毎に輝度値と領域に対応する関連文書を特定する文書ＩＤを対応付けた二次元バーコードを埋め込むことができる。なお、本実施の形態では埋込文書生成装置１５０が関連文書を特定する情報として文書ＩＤを用いたが、他にもＵＲＬ等、関連文書を特定する情報であればどのような情報を用いても良い。
【０１１１】
次にＭＦＰ１７０について説明する。ＭＦＰ１７０の内部は、文書読取処理部１７１と、印刷処理部１７２と、記憶部１７３と、電子文書入力処理部１７４と、画像出力処理部１７５と、通信部１７６を備え、埋込文書生成装置１５０から印刷された紙文書を読み取ることで生成された画像を、情報処理装置１００に送信し、さらに情報処理装置１００から電子文書を受信した場合は、受信した電子文書の印刷処理又は保存等を行う。
【０１１２】
文書読取処理部１７１は、ＭＦＰ１７０に備えられた図示しないスキャナより紙文書１０を読み取り、紙文書の内容を保持した画像を取得する。取得した画像は、通信部１７６を通じて情報処理装置１００に出力する。また、取得した画像を記憶部１７３に記憶しても良いし、印刷処理部１７２で取得した画像を用いて印刷処理を行うことで複写しても良い。また、紙文書の各行に対応付けられた関連文書を取得したい場合、予め利用者が関連文書を取得したい行に対してペン等を用いて追記している必要がある。そして、文書読取処理部１７１は、追記された紙文書の読み取りを行うこととする。
【０１１３】
印刷処理部１７２は、電子文書又は画像から紙文書として印刷処理を行う。印刷処理に用いられる電子文書又は画像は、情報処理装置１００から受信したもの、文書読取処理部１７１で読み取られたもの又は記憶部１７３に記憶されていたもの等、どの電子文書又は画像を用いても良い。
【０１１４】
記憶部１７３は、電子文書及び画像を記憶する。記憶された電子文書及び画像は、印刷処理部１７２による印刷処理や、通信部１７６による情報処理装置１００への送信等に用いられる。
【０１１５】
画像出力処理部１７５は、文書読取処理部１７１で取得した画像又は記憶部１７３に記憶された画像を後述する通信部１７６に出力する。そして、電子文書入力処理部１７４は、通信部１７６で受信した電子文書の入力処理を行う。
【０１１６】
通信部１７６は、情報処理装置１００との間で送受信を行う。具体的な例としては、画像出力処理部１７５から入力された画像を情報処理装置１００に送信し、情報処理装置１００から受信した電子文書を電子文書入力処理部１７４に出力する。また、情報処理装置１００との間の接続は、直接接続しても良いし、専用線又は公衆回線を介して接続しても良い。また、ＭＦＰ１７０の接続する装置を情報処理装置１００に制限するものではなく、他の装置と送受信を行っても良い。
【０１１７】
次に情報処理装置１００について説明する。情報処理装置１００の内部は、記憶部１０１と、利用者入力処理部１０２と、利用者認証部１０３と、キーワード入力受付部１０４と、画像入力処理部１０５と、情報抽出部１０６と、特徴量取得部１０７と、判断部１０８と、電子文書取得部１０９と、キーワード検索部１１０と、キーワード領域取得部１１１と、加工処理部１１２と、表示処理部１１３と、出力処理部１１４と、通信部１１５と、を備え、受信した画像に基づいて関連文書を取得し、必要に応じて関連文書に対してキーワード検索や加工処理を行い、関連文書の表示、保存又はＭＦＰ１７０への送信を行う。
【０１１８】
記憶部１０１は、認証情報と、電子文書を記憶する。認証情報は、ユーザＩＤとパスワードを対応付けて保持している。また、電子文書は、埋込文書生成装置１５０から受信した関連文書等とする。
【０１１９】
通信部１１５は、ＭＦＰ１７０又は埋込文書生成装置１５０との間で送受信を行う。具体的な例としては、通信部１１５は、ＭＦＰ１７０との間で画像の受信や、電子文書の送信を行う。また、通信部１１５は、埋込文書生成装置１５０との間で文書ＩＤの送信や、電子文書の受信を行う。
【０１２０】
利用者入力処理部１０２は、保存受付手段と出力受付手段とに相当し、利用者がキーボード５０等の入力デバイスを用いて入力した情報の処理を行う。具体的な例としては、キーボード等の入力デバイスによる、取得した電子文書を保存する旨を示すアイコン等の選択を処理する。その後、利用者入力処理部１０２は、保存の確認を促すウィンドウが表示された後に保存しても良いか否かの入力を受け付ける。そして、保存して良い旨を示す情報を入力処理した場合、保存する旨を後述する出力処理部１１４に出力する。
【０１２１】
図４は、保存する旨を示すアイコン等が選択された後に表示される保存の確認を促すウィンドウの一例を示した図である。本図に示すようなウィンドウがモニタ４０に表示されることで、利用者が保存しても良いか否か入力することができる。
【０１２２】
さらに、利用者入力処理部１０２は、キーボード５０等の入力デバイスによる、取得した電子文書をＭＦＰ１７０に出力する旨を示すアイコン等の選択を処理する。その後、利用者入力処理部１０２は、出力の確認を促すウィンドウが表示された後に出力しても良いか否かの入力を受け付ける。そして、出力して良い旨を示す情報を入力処理した場合、出力する旨を後述する出力処理部１１４に出力する。この場合も、上述した図４と同様に利用者に確認を求めるウィンドウが表示される。
【０１２３】
また、利用者入力処理部１０２は、入力デバイスからキーワードを示す文字列を入力処理した場合、キーワードを示す文字列をキーワード入力受付部１０４に出力する。さらに、入力デバイスからユーザＩＤ及びパスワードを入力処理した場合、ユーザＩＤ及びパスワードを利用者認証部１０３に出力する。
【０１２４】
利用者認証部１０３は、利用者入力処理部１０２から入力されたユーザＩＤ及びパスワードと、記憶部１０１の認証情報で対応付けて保持されているユーザＩＤとパスワードが一致するか否かにより利用者の認証を行う。なお、本実施の形態では利用者の認証はパスワードによる認証を用いるが、本発明の認証方法としてはどのような認証方法を用いても良い。なお、利用者認証部１０３による認証処理は情報処理装置１００に対して最初にログインする際に行われることとする。
【０１２５】
キーワード入力受付部１０４は、文字列入力受付手段に相当し、利用者入力処理部１０２から入力されたキーワードを示す文字列を受け付ける。そして、キーワード入力受付部１０４は、キーワードを示す文字列を受け付けた場合は、後述する電子文書取得部１０９で取得した関連文書を示す電子文書に対して、後述するキーワード検索部１１０でキーワードの検索が行われる。また、キーワードの入力の受付はキーボード５０等の情報処理装置１００に備えられた入力デバイスからの入力に制限するものではなく、例えばＭＦＰ１７０の液晶タッチパネルあるいは音声認識装置からの入力等でも良い。
【０１２６】
画像入力処理部１０５は、通信部１１５が受信した画像の入力処理を行う。図５で示した入力処理画像５０１を入力処理した場合の例について下記で説明していく。なお、図５は、入力処理した画像から関連する電子文書を取得するまでの概要を示した説明図である。なお、本実施の形態は、画像入力処理部１０５による画像の入力処理をＭＦＰ１７０から受信することに制限するものではなく、例えば情報処理装置１００に接続されたスキャナ等から直接入力処理しても良い。
【０１２７】
図１に戻り、情報抽出部１０６は、画像に付加されていた二次元バーコードに含まれていた情報を抽出する。本実施の形態においては、情報抽出部１０６は、二次元バーコードに含まれていた領域対応情報と埋込文書生成装置１５０を特定するＵＲＬを抽出する。図５の５０２が入力処理画像に付加されていた二次元バーコードであり、情報抽出部１０６がこの二次元バーコードから情報を抽出する。そして、図５の５０３は、情報抽出部１０６が二次元バーコードから抽出した領域対応情報を示したものである。
【０１２８】
特徴量取得部１０７は、二次元バーコードを取り除いた画像について行毎に分割して、分割された行毎に輝度平均を算出する。図５の５０４は、特徴量取得部１０７が画像の行毎に算出した輝度平均を示したものである。
【０１２９】
判断部１０８は、抽出された領域対応情報における行毎の輝度平均と、特徴量取得部１０７が算出した行毎の輝度平均を比較して、各行において追記されているか否か判断する。図５の５０４では４行目の「３章  著作権法」を丸で囲むように追記されているので算出された輝度平均が、５０３の領域対応情報の４行目の輝度平均と異なるのが把握できる。そこで、判断部１０８は、４行目が追記されていると判断する。
【０１３０】
また、印刷又は紙原稿の読み取り処理といったアナログ過程を経ると、画像の劣化等により輝度平均が変化することもある。そこで、判断部１０８は、予め閾値を設けて、輝度平均の変化量が閾値以上の場合に追記と判断しても良い。なお、閾値は、出力に用いられる紙や使用環境等により適した値が異なるので、実測により最適な値を設定する。
【０１３１】
電子文書取得部１０９は、判断部１０８で追記されていると判断された場合、追記された行と対応付けられた文書ＩＤを通信部１１５に出力することで埋込文書生成装置１５０に文書ＩＤが送信される。その後、電子文書取得部１０９は、通信部１１５から文書ＩＤと対応付けられた関連文書を示す電子文書が入力されるので、関連する電子文書を取得することができる。図５の５０５では追記された行と対応付けられていた文書ＩＤを出力して埋込文書生成装置で検索されたことを示したものとする。そして図５の５０６は、電子文書が取得した関連する電子文書を示したものである。図５で示した処理が行われることで関連する電子文書を取得できる。
【０１３２】
キーワード検索部１１０は、文字列検索手段に相当し、電子文書取得部１０９が取得した電子文書に対して、キーワード入力受付部１０４が受け付けたキーワードで検索を行う。
【０１３３】
キーワード領域取得部１１１は、領域取得手段に相当し、キーワード検索部１１０により検出されたキーワードが含まれているページを取得する。また、取得する領域をページに制限するものではなく、例えば段落、行又はキーワードに適合した部分を中心とした予め定められた範囲による近傍領域でも良い。
【０１３４】
加工処理部１１２は、取得した電子文書に対して加工処理を行う。行われる加工処理は予め設定されていても良いし、音声入力装置やキーボード５０等の入力デバイスから入力された加工するための設定を用いて、加工処理部１１２が加工処理を行っても良い。実際に行われる加工処理としては、電子文書のレイアウト、全体の色調、文字の大きさ、文字のフォント、文字のスタイル、文字の色等のいずれか１つ又はこれらの組合せが考えられる。
【０１３５】
図６は、取得した２段組の電子文書と、１段組のレイアウトに変更する加工処理が行われた場合の電子文書の一例を示した図である。このような処理を行うことで、取得した電子文書より小さいサイズの紙に印刷しても利用者が視覚で把握することが容易になる。本図に示すように加工処理部１１２は、印刷する環境等に合わせて適切なレイアウトに変更することができる。
【０１３６】
表示処理部１１３は、入力処理された画像や、取得した電子文書をモニタ４０に表示する処理を行う。具体的な例としては、表示処理部１１３は、取得した電子文書を表示する際、予めキーワードが利用者により入力されていた場合、取得した電子文書を表示する際にキーワード領域取得部１１１で取得したページを表示処理し、さらに入力されたキーワードに該当する文字列を装飾して表示する。
【０１３７】
図７は、キーワード領域取得部１１１で取得したページを表示処理部１１３で表示した画面例を示した図である。本図に示すように検索されたキーワードが含まれたページを表示処理することとし、表示処理を行う際にキーワードと一致する文字列の背景を通常の背景と異なる色で表示している。これにより、利用者は取得した電子文書において注目していたキーワードが含まれた所定の領域を視覚により認識することができる。
【０１３８】
出力処理部１１４は、出力処理手段と保存手段とに相当し、取得した電子文書の出力処理を行う。出力処理部１１４が出力する電子文書の出力先としては、記憶部１０１又は通信部１１５とする。これにより記憶部１０１に取得した電子文書が保存され、又は取得した電子文書を通信部１１５よりＭＦＰ１７０に送信することで、ＭＦＰ１７０が取得した電子文書の印刷又は保存をすることができる。
【０１３９】
また、出力処理部１１４は、電子文書取得部１０９で取得した電子文書以外に、キーワード領域取得部１１１によりキーワードが装飾された電子文書や、加工処理部１１２により加工処理された電子文書を出力することもできる。なお、出力処理部１１４による出力処理を通信部１１５又は記憶部１０１への出力に制限するものではなく、例えば情報処理装置１００に接続されたプロッタから印刷する処理を行っても良い。
【０１４０】
次に、以上のように構成された本実施の形態にかかる埋込文書生成装置１５０における文書の取得から二次元バーコードを付加して出力するまでの処理について説明する。図８は、本実施の形態にかかる埋込文書生成装置１５０における上述した処理の手順を示すフローチャートである。
【０１４１】
まず、対象文書取得部１５２が、二次元バーコードを埋め込む対象となる電子文書を取得する（ステップＳ８０１）。次に、領域分割部１５３が、取得した電子文書を行毎に領域を分割する（ステップＳ８０２）。
【０１４２】
そして、関連文書取得部１５４が、行毎に関連する電子文書を取得する（ステップＳ８０３）。次に、関連文書登録部１５５が、取得した電子文書に対して文書ＩＤを割り当てて、ＩＤ文書対応テーブルに電子文書名と文書ＩＤを対応付けて登録し、電子文書は記憶部１５１に記憶させる（ステップＳ８０４）。
【０１４３】
そして、領域特徴抽出部１５６が、行毎の輝度平均を算出する（ステップＳ８０５）。次に、埋込情報生成部１５７が、行毎の輝度平均と行毎の関連する電子文書を示す文書ＩＤと行番号とを対応付けた領域対応情報と、埋込文書生成装置１５０を特定するＵＲＬとを含んだ二次元バーコードを生成する（ステップＳ８０６）。
【０１４４】
次に、埋込情報付加部１５８が、生成された二次元バーコードをステップＳ８０１で取得した電子文書に付加する（ステップＳ８０７）。そして、埋込文書出力処理部１５９が、二次元バーコードを付加した電子文書をプリンタ２０から出力する処理を行う（ステップＳ８０８）。
【０１４５】
上述した処理手順により、領域対応情報と埋込文書生成装置１５０を特定するＵＲＬを含んだ二次元バーコードを付加した電子文書を印刷することが可能となる。なお、上述した処理手順は、本実施の形態による電子文書の取得から二次元バーコードを付加した電子文書の印刷までの処理手順の例を示したものであり、本発明をこの処理手順に制限するものではない。
【０１４６】
次に、以上のように構成された本実施の形態にかかる埋込文書生成装置１５０及び情報処理装置１００で構成される情報処理システムにおける紙文書の読み込みから、利用者が紙文書に追記した行と対応した関連する電子文書を取得して印刷するまでの処理について説明する。図９は、本実施の形態にかかる埋込文書生成装置１５０及び情報処理装置１００で構成される情報処理システムにおける上述した処理の手順を示すフローチャートである。
【０１４７】
まずは、ＭＦＰ１７０の文書読取処理部１７１が、紙文書を読み取り、紙文書の内容を保持した画像を取得する（ステップＳ９０１）。そして、ＭＦＰ１７０の画像出力処理部１７５は、取得した画像を通信部１７６に出力する（ステップＳ９０２）。これにより、通信部１７６は、入力された画像を情報処理装置１００に送信する。
【０１４８】
次に、情報処理装置１００の画像入力処理部１０５が、通信部１１５が受信した画像を入力処理する（ステップＳ９１１）。そして、情報処理装置１００の情報抽出部１０６は、入力処理した画像の二次元バーコードに含まれていた領域対応情報と埋込文書生成装置１５０のＵＲＬを抽出する（ステップＳ９１２）。抽出された領域対応情報は、行毎の輝度平均と文書ＩＤとを対応付けて保持しているものとする。
【０１４９】
そして、情報処理装置１００の特徴量取得部１０７は、入力処理した画像から二次元バーコードを取り除いた画像について行毎に領域を分割する（ステップＳ９１３）。次に、特徴量取得部１０７は、分割された行毎に輝度平均値を算出する（ステップＳ９１４）。
【０１５０】
次に、情報処理装置１００の判断部１０８は、ステップＳ９１２で抽出した行毎の輝度平均と、ステップＳ９１４で算出した行毎の輝度平均を比較して、行毎に追記されているか否か判断する（ステップＳ９１５）。
【０１５１】
そして、情報処理装置１００の電子文書取得部１０９は、追記されたと判断された行と対応付けられた文書ＩＤを通信部１１５に出力することで、通信部１１５から入力された関連する電子文書を取得する（ステップＳ９１６）。また、通信部１１５は、ステップＳ９１２で抽出されたＵＲＬより特定される埋込文書生成装置１５０に対して文書ＩＤを送信することで、埋込文書生成装置１５０からＩＤ文書対応テーブルで文書ＩＤと対応付けられた電子文書を受信する。
【０１５２】
次に、情報処理装置１００の出力処理部１１４は、取得した電子文書を通信部１１５に出力する処理を行う（ステップＳ９１７）。これにより通信部１１５は、入力された電子文書をＭＦＰ１７０に送信する。
【０１５３】
そして、ＭＦＰ１７０の電子文書入力処理部１７４は、通信部１７６が受信した電子文書の入力処理を行う（ステップＳ９０３）。次に、印刷処理部１７２は、入力処理された電子文書を印刷する処理を行う（ステップＳ９０４）。
【０１５４】
上述した処理手順により、情報処理システムを構成するＭＦＰ１７０で読み取られた画像を入力処理し、情報処理装置１００で関連する電子文書を取得して、ＭＦＰ１７０で印刷処理することが可能となる。なお、上述した処理手順は、本実施の形態による紙文書の読み取りから関連する電子文書を印刷するまでの処理手順の例を示したものであり、本発明をこの処理手順に制限するものではない。
【０１５５】
また、情報処理装置１００は、取得した電子文書をＭＦＰ１７０に出力して印刷する以外に、情報処理装置１００に接続されたモニタ４０に表示処理を行うことができる。また、当然ながら、モニタ４０に表示処理を行う前に、取得した電子文書に対して、加工処理や、キーワード検索を行うこともできる。そこで、以上のように構成された本実施の形態にかかる情報処理装置１００におけるＭＦＰ１７０から画像を入力処理してから関連する電子文書に対してキーワード検索して結果を表示するまでの処理について説明する。図１０は、本実施の形態にかかる情報処理装置１００における上述した処理の手順を示すフローチャートである。
【０１５６】
まず、情報処理装置１００の画像入力処理部１０５が、通信部１１５が受信した画像を入力処理する（ステップＳ１００１）。なお、通信部１１５が受信した画像は図９で示した処理手順と同様にＭＦＰ１７０から送信されたものとする。
【０１５７】
次に、キーワード入力受付部１０４は、利用者入力処理部１０２で入力処理されたキーワードを示す文字列の入力を受け付ける（ステップＳ１００２）。
【０１５８】
そして、情報処理装置１００は、図９のステップＳ９１２〜Ｓ９１６と同様に画像から抽出された情報に基づいて関連する電子文書を取得する（ステップＳ１００３〜Ｓ１００７）。
【０１５９】
そして、キーワード探索部１１０は、キーワード入力受付部１０４がキーワードを受け付けていた場合、ステップＳ１００７で取得した電子文書に対して、キーワード入力受付部１０４が受け付けたキーワードで検索を行う（ステップＳ１００８）。
【０１６０】
次に、キーワード領域取得部１１１は、キーワードが含まれているページを取得する（ステップＳ１００９）。
【０１６１】
そして、表示処理部１１３は、キーワード領域取得部１１１が取得したページをモニタ４０上に表示する処理を行う（ステップＳ１０１０）。この際、キーワードと一致した文字列は、背景の色を変更して表示処理を行う。
【０１６２】
上述した処理手順により、情報処理装置１００で関連する電子文書を取得して、キーワードが含まれているページを表示処理することが可能となる。なお、上述した処理手順は、本実施の形態による画像の入力処理からキーワードが含まれているページを表示するまでの処理手順の例を示したものであり、本発明をこの処理手順に制限するものではない。
【０１６３】
図１１は、情報処理装置１００と埋込文書生成装置１５０の機能を実現するためのプログラムを実行したＰＣのハードウェア構成を示した図である。本実施の形態の情報処理装置１００と埋込文書生成装置１５０は、それぞれＣＰＵ（Central Processing Unit）１１０１等の制御装置と、ＲＯＭ（Read Only Memory）１１０２やＲＡＭ（Random Access Memory）１１０３等の記憶装置と、ＨＤＤ（Hard Disk Drive）、ＣＤ（Compact Disk）ドライブ装置等の外部記憶装置１１０４と、ディスプレイ装置等の表示装置１１０５と、キーボードやマウス等の入力装置１１０６と、他の装置と通信を行う通信Ｉ／Ｆ１１０７とこれらを接続するバス１１０８を備えており、通常のコンピュータを利用したハードウェア構成となっている。
【０１６４】
次に、ＭＦＰ１７０について説明する。図１２は、ＭＦＰ１７０のハードウェア構成の一例を示すブロック図である。図１２に示すように、ＭＦＰ１７０は、このＭＦＰ１７０の各部の制御処理及び画像形成処理等の各種制御処理を行うシステム制御部１２０１を備えている。このシステム制御部１２０１には、システムメモリ１２０２、パラメータメモリ１２０３、時計回路１２０４、操作表示部１２０５、ページメモリ１２０６、プリンタエンジン１２０７、給紙搬送系ユニット１２０８、通信インターフェース回路１２０９、磁気ディスク装置１２１０及びスキャナエンジン１２１１が内部バス１２１２を介して接続されており、これらの各要素間でのデータのやりとりは、主としてこの内部バス１２１２を介して行われている。
【０１６５】
システムメモリ１２０２は、システム制御部１２０１が実行する制御処理プログラム及び処理プログラムを実行するときに必要な各種データ等を記憶するとともに、システム制御部１２０１のワークエリアを構成するものであり、パラメータメモリ１２０３は、このＭＦＰ１７０に固有な各種の情報を記憶するためのものである。
【０１６６】
時計回路１２０４は、現在時刻情報を出力するものである。操作表示部１２０５は、このＭＦＰ１７０を操作するためのもので、各種の操作キー及び各種の表示装置からなる。
【０１６７】
ページメモリ１２０６は、印刷する画像データ（印刷描画イメージ）を保持するものであり、プリンタエンジン１２０７は、ページメモリ１２０６に保持されている画像データの画像を記録用紙に記録出力するためのものである。給紙搬送系ユニット１２０８は、記録用紙を保持している用紙カセット等（図示略）から記録用紙を分離してプリンタエンジン１２０７の画像記録位置へと給紙搬送し、最終的に排紙トレイ（図示略）へと排出するためのものである。なお、本実施の形態のＭＦＰ１７０に備えられたプリンタはレーザプリンタであるので、プリンタエンジン１２０７は、電子写真プロセス方式により画像を形成して記録用紙に記録出力する。
【０１６８】
通信インターフェース回路１２０９は、ネットワークを介して他のコンピュータに接続し、印刷ジョブデータ等を受信したり、他のコンピュータに対して印刷結果等をあらわすデータを送信したりするためのものである。
【０１６９】
磁気ディスク装置１２１０は、種々の印刷文書情報を格納したり、それ以外の適宜な情報ファイル等を保存するためのものである。
【０１７０】
スキャナエンジン１２１１は、紙文書に対してスキャンを行い、画像データを取得するためのものである。スキャナエンジン１２１１で取得した画像データはページメモリ１２０６に送信することで、複写することが可能となる。
【０１７１】
また、本実施形態の情報処理装置１００で実行される情報処理プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１７２】
また、本実施形態の情報処理装置１００で実行される情報処理プログラムを、インターネット等のネットワークに接続されたコンピュータ上に格納し、ネットワーク経由でダウンロードさせることにより提供するように構成しても良い。また、本実施形態の情報処理装置１００で実行される情報処理プログラムをインターネット等のネットワーク経由で提供または配布するように構成しても良い。
【０１７３】
また、本実施形態の情報処理プログラムを、ＲＯＭ等に予め組み込んで提供するように構成してもよい。
【０１７４】
本実施の形態の情報処理装置１００で実行される情報処理プログラムは、上述した各部（利用者入力処理部、利用者認証部、キーワード入力受付部、画像入力処理部、情報抽出部、特徴量取得部、判断部、電子文書取得部、キーワード検索部、キーワード領域取得部、加工処理部、表示処理部、出力処理部、通信部）を含むモジュール構成となっており、実際のハードウェアとしてはＣＰＵが上記記録媒体から情報処理プログラムを読み出して実行することにより上記各部が主記憶装置上にロードされ、利用者入力処理部、利用者認証部、キーワード入力受付部、画像入力処理部、情報抽出部、特徴量取得部、判断部、電子文書取得部、キーワード検索部、キーワード領域取得部、加工処理部、表示処理部、出力処理部、通信部が主記憶装置上に生成されるようになっている。
【０１７５】
上述した情報処理システム又は情報処理装置により、利用者が追記した領域に関連づけられた電子文書を取得して、出力処理又は印刷処理を行えることで、利用者は容易に電子文書又は電子文書の内容が含まれた紙文書を取得できるので、利便性が向上する。また、取得した電子文書に対して加工処理を行った後に出力することができるため、視認性が向上する。
【０１７６】
また、関連する文書を取得するために、関連する領域に追記するだけで良いため、利用者が容易に理解できると共に、容易に扱うことができる。
【０１７７】
また、ＭＦＰ１７０と情報処理装置１００で構成された情報処理システムで、紙原稿を入力してから、入力処理した画像を情報処理装置１００に送信し、関連する電子文書を取得するまでの処理を行った後、取得した電子文書をＭＦＰ１７０で印刷する処理を行うことで、送受信機能を有する従来のＭＦＰ１７０であっても二次元バーコードを付加した紙文書に基づいて関連する文書を印刷することができる。また、従来から存在する他の装置と送受信できるＭＦＰであれば、本発明の情報処理システムを構築できるので、情報処理システムの導入による利便性が向上すると共に、情報処理システムの構築に掛かる費用を低減させることができる。
【０１７８】
また、情報処理装置１００の関連する電子文書の取得先を埋込文書生成装置１５０に制限するものではなく、公衆ネットワーク上に埋込文書生成装置１５０と別に設けられたサーバや、情報処理装置１００が備える記憶部１０１から関連する電子文書を取得しても良い。この場合、ＩＤ文書対応テーブル及び関連する電子文書は、サーバや情報処理装置１００が保持することとし、埋込文書生成装置１５０からこれらを更新できる必要がある。
【０１７９】
また、特徴情報は、輝度平均に制限されるものではなく、文書または画像について特徴を示す情報であればよい。特徴情報の具体的な例としては、黒画素数、連結成分数、文字数、周波数等が考えられる。
【０１８０】
また、上記の説明では電子文書を分割する領域を行毎としたが、本実施の形態は分割する領域の単位を行に制限するものではなく、例えば文字要素である段落、単語、文字で分割しても良いし、あるいは文書要素に関係なく所定の格子状に分割した領域毎でも良い。
【０１８１】
また、分割する領域の単位を埋込文書生成装置１５０及び情報処理装置１００で予め設定しておいても良いし、二次元バーコード等の埋込情報に領域の分割方法を含めても良い。
【０１８２】
また、上記の説明では本発明の埋込情報として二次元バーコードを用いたが、本実施の形態は埋込情報を二次元バーコードに制限するものではなく、文字、一次元バーコード、ドット、二次元バーコード以外の幾何学パターンあるいは電子透かしのいずれか１つ又はこれらの組合せで実現しても良い。
【０１８３】
（第１の実施の形態の変形例１）
上述した第１の実施の形態において、二次元バーコードに領域と、輝度平均と、文書ＩＤを対応付けてから電子文書に付加していた。しかし、対応する電子文書を特定するために埋め込む情報を文書ＩＤに制限するものではない。そこで、本変形例では文書ＩＤの代わりに電子文書が記憶されているＵＲＬが領域と、輝度平均に対応付けて二次元バーコードに埋め込んだ場合の例とする。そして上述した実施の形態と同様に、画像の各領域から算出された輝度値と領域対応情報が保持する各領域の輝度値を算出し、追記された領域と対応付けられたＵＲＬより関連する電子文書を取得する。
【０１８４】
（第２の実施の形態）
第１の実施の形態では情報処理装置１００で画像データに付加された二次元バーコードに基づいて追記された行に対応する関連文書を取得していた。しかしながら、二次元バーコードが付加された画像データで追記された領域を判断して行われる処理を、関連文書の取得に制限するものではない。そこで第２の実施の形態では、情報処理装置で追記された領域を装飾して表示することとしたものである。
【０１８５】
また、情報処理装置１００は、画像の入力をＭＦＰ１７０からの入力に制限するものではないため、第２の実施の形態においては情報処理装置単体で処理を行う場合について説明する。
【０１８６】
図１３は、本発明の第２の実施の形態にかかる情報処理装置１３００の構成を示すブロック図である。上述した第１の実施の形態にかかる情報処理装置１００とは、領域加工処理部１３０６が追加され、利用者入力処理部１０２、画像入力処理部１０５、情報抽出部１０６、特徴量取得部１０７、判断部１０８、電子文書取得部１０９、出力処理部１１４、通信部１１５とは処理が異なる利用者入力処理部１３０１、画像入力処理部１３０２、情報抽出部１３０３、特徴量取得部１３０４、判断部１３０５、電子文書取得部１３０９、出力処理部１３０７、通信部１３０８に変更された構成を有している点で異なる。以下の説明では、上述した第１の実施の形態と同一の構成要素には同一の符号を付してその説明を省略している。また、情報処理装置１３００はスキャナ３０、プリンタ２１と接続され、公衆ネットワーク６１を介してサーバ７０と通信を行う。
【０１８７】
本実施の形態においては、第１の実施の形態の埋込文書生成装置１５０と同様の構成を備えた埋込文書生成装置で生成された紙文書を情報処理装置１３００で読み込むこととするが、二次元バーコードに含まれている情報が第１の実施の形態の場合と異なる。
【０１８８】
図１４は、第２の実施の形態の紙文書に付加された二次元バーコードが保持する領域対応情報を説明した説明図である。本図に示すように、本実施形態においては文書を矩形状に区切り、矩形毎に輝度平均を算出し、矩形の座標領域と輝度平均と処理ＩＤとを対応付けた領域対応情報を二次元バーコードに含ませることとする。本図では領域を矩形で２点の座標（例えば左上と右下の頂点の座標）でこの領域を定義しているが、領域定義方法をこの方法に制限するものではなく、システムで予め領域を固定しておいても良いし（例えば縦を４０、横を３０の矩形に分割する等）、他の分割方法を示す情報を二次元バーコードに埋め込んでも良い。
【０１８９】
処理ＩＤとは、各領域で追記されていた場合に行われる処理を示すＩＤをいう。例えば文字領域であればこの領域に一部でも含まれた文字を斜体若しくは太字にする処理を示す処理ＩＤが埋め込まれ、空白領域であれば背景色を変更する処理を示すＩＤを埋め込まれること等が考えられる。なお、領域によらず全て同じ処理を行う場合は、処理ＩＤを対応付けて埋め込まなくても良い。
【０１９０】
利用者入力処理部１３０１は、保存受付手段と出力受付手段とに相当し、第１の実施の形態の利用者入力処理部１０２と同様に利用者がキーボード５０等の入力デバイスを用いて入力した情報の処理を行う。利用者入力処理部１３０１が利用者入力処理部１０２と異なる点としては、利用者入力処理部１０２ではＭＦＰ１７０に出力する旨の選択を処理するのに対して、利用者入力処理部１３０１ではプリンタ２１に出力する旨の選択を処理する点であり、他の処理については利用者入力処理部１０２と同様とする。
【０１９１】
画像入力処理部１３０２は、スキャナ３０を用いて紙文書１１を読み取り、紙文書の内容を保持する画像の入力処理を行う。図１５で示した入力処理画像１５０１を入力処理した場合の例について下記で説明していく。なお、図１５は、情報処理装置１３００が入力処理した画像から対応する電子文書を取得して加工処理するまでの概要を示した説明図である。
【０１９２】
図１３に戻り、情報抽出部１３０３は、画像に付加されていた二次元バーコードに含まれていた情報を抽出する。本実施の形態においては、情報抽出部１３０３は、二次元バーコードに含まれていた領域対応情報とサーバ７０が保持している電子文書を特定するＵＲＬを抽出する。領域対応情報は、図１４で示したように矩形状の領域の領域座標と、輝度平均と、処理ＩＤが対応付けられているものとする。
【０１９３】
特徴量取得部１３０４は、情報抽出部１３０３で抽出された領域対応情報が保持する矩形状の領域毎に分割して、分割された矩形領域毎に輝度平均を算出する。
【０１９４】
判断部１３０５は、抽出された領域対応情報における矩形領域毎の輝度平均と、特徴量取得部１３０４が算出した矩形領域毎の輝度平均を比較して、各矩形領域において追記されている領域を判断する。図１５の１５０２は、画像内の「著作権」を丸で囲むように追記されているため、この領域で算出された輝度平均が領域対応情報で保持される輝度平均と異なることとなり、判断部１３０５はこの領域で追記されたと判断できる。
【０１９５】
電子文書取得部１３０９は、情報抽出部１３０３で抽出されたサーバ７０が保持している電子文書を特定するＵＲＬから、電子文書を取得する。この電子文書は、本実施の形態では画像入力処理部１３０２で入力処理した画像の出力元となった電子文書とする。なお、電子文書の取得の具体的な処理手順の例は、電子文書取得部１３０９が通信部１３０８に対してＵＲＬを出力すると、通信部１３０８がＵＲＬから電子文書を受信して電子文書取得部１３０９に出力する。これにより電子文書取得部１３０９は電子文書を取得できる。
【０１９６】
領域加工処理部１３０６は、取得した電子文書に対して入力処理された画像と照合を行い、電子文書内で追記された領域を特定し、特定された領域に対して処理ＩＤと対応付けられた加工処理を行う。なお、処理ＩＤと処理の対応関係は予め情報処理装置１３００で保持することとする。
【０１９７】
図１５の１５０３は、入力処理された画像と取得した電子文書の照合を行い、追記された領域を特定された場合を示している。そしてこの領域と対応付けられた処理が行われる。図１５の加工処理後の電子文書１５０４は、対応付けられた処理を行った後の電子文書を示したものである。特定された領域と対応付けられていた処理ＩＤが文字を斜体にする処理を示すものだったため、加工処理後の電子文書１５０４では「著作権」が斜体にされた。
【０１９８】
出力処理部１３０７は、出力処理手段と保存手段とに相当し、取得した電子文書の出力処理を行う。また、出力処理部１３０７は、追記されていたので領域加工処理部１３０６で加工処理された電子文書、加工処理部１１２で加工処理された電子文書、キーワード領域取得部１１１でキーワードが強調された電子文書についても出力又は保存することができる。本実施の形態において出力処理部１３０７は、プリンタ２１から出力処理を行うが、第１の実施の形態の出力処理部１１４と同様にＭＦＰ１７０に対して出力しても良い。
【０１９９】
通信部１３０８は、サーバ７０との間で送受信を行う。具体的な例としては、通信部１３０８は、二次元バーコードから抽出されたＵＲＬで特定される電子文書を送信する要求を行い、電子文書の受信を行う。
【０２００】
また、以上のように構成された本実施の形態にかかる情報処理装置１３００における画像を入力処理してから領域加工処理部１３０６で加工処理されて表示処理部１１３で表示するまでの処理について説明する。図１６は、本実施の形態にかかる情報処理装置１３００における上述した処理の手順を示すフローチャートである。
【０２０１】
画像入力処理部１３０２は、スキャナ３０を用いて紙文書１１を読み取り、読み取られた紙文書１１の内容を保持する画像の入力処理を行う（ステップＳ１６０１）。
【０２０２】
そして、情報抽出部１３０３は、入力処理した画像に付加された二次元バーコードから、電子文書の保存先を示すＵＲＬと、電子文書中の領域定義及び領域毎の輝度平均を抽出する（ステップＳ１６０２）。
【０２０３】
次に、特徴量取得部１３０４は、ステップＳ１６０２で抽出された領域座標に応じて画像を矩形領域に分割する（ステップＳ１６０３）。そして、特徴量取得部１３０４は、分割された矩形領域毎に輝度平均を算出する（ステップＳ１６０４）。
【０２０４】
次に、判断部１３０５は、抽出された領域対応情報における矩形領域毎の輝度平均と、特徴量取得部１３０４が算出した矩形領域毎の輝度平均を比較して、各矩形領域において追記されている領域を判断する（ステップＳ１６０５）。
【０２０５】
そして、電子文書取得部１３０９は、ステップＳ１６０２で抽出された電子文書の保存先を示すＵＲＬを通信部１３０８に出力した後に通信部１３０８が受信した電子文書を取得する（ステップＳ１６０６）。
【０２０６】
次に、領域加工処理部１３０６は、取得した電子文書に対して入力処理された画像と照合を行い、電子文書内で追記された領域を特定する（ステップＳ１６０７）。
【０２０７】
そして、領域加工処理部１３０６は、特定された領域に対して処理ＩＤと対応付けられた加工処理を行う（ステップＳ１６０８）。次に、表示処理部１１３が加工処理された電子文書をモニタ４０に表示する処理を行う（ステップＳ１６０９）。
【０２０８】
上述した処理手順により、情報処理装置１３００で画像の元となる電子文書を取得して、追記された領域について加工処理した後で電子文書を表示処理することが可能となる。なお、上述した処理手順は、本実施の形態による画像を入力処理してから領域加工処理部１３０６で加工処理して表示処理部１１３で表示するまでの処理手順の例を示したものであり、本発明をこの処理手順に制限するものではない。
【０２０９】
また、本実施の形態では、情報処理装置１３００をスキャナ３０とプリンタ２１と接続することとしたが、第１の実施の形態と同様にＭＦＰ１７０と接続してもよい。この場合、情報処理装置１３００は、ＭＦＰ１７０で読み取った画像の電子文書を取得して、加工処理を行った後にＭＦＰ１７０で出力する。
【０２１０】
また、追記された領域に対して加工処理や関連文書の取得に制限するものではなく、例えば二次元バーコード内で領域毎に輝度平均等の特徴情報と処理ＩＤとを対応付けて保持して、追記された領域に対応する処理ＩＤを取得し、処理ＩＤに対応付けられた処理を情報処理装置１３００が行うこと等が考えられる。
【０２１１】
上述した情報処理装置により、装置上で処理を行わずとも電子文書を加工編集することができるので、利用者の利便性が向上する。
【０２１２】
（第２の実施の形態の変形例１）
上述した第２の実施の形態においては、矩形状の領域毎に特徴情報（例えば輝度平均）を対応付けて保持していた。しかし、本発明は領域を矩形の領域毎に制限するものではない。特に領域と処理ＩＤを対応付けて領域毎に異なる処理を行うことを考慮すると、所定のサイズの矩形の領域毎に意味を持たせるのが難しく、領域毎に特徴のある処理を割り当てるのが難しい場合も考えられる。そこで本変形例では、電子文書中で特徴のある文字列を特定し、この特定された文字列毎に領域を割り当てて、処理ＩＤと対応付けることにした例とする。
【０２１３】
図１７は、本変形例にかかる情報処理装置が読み込む対象となる紙文書で処理と対応付けられた領域と、この紙文書に付加された二次元バーコードが保持する領域対応情報の一例を示した説明図である。本図に示すように、領域対応情報では、「電子透かし」、「著作権」、「品質」を示す領域座標と輝度平均と処理ＩＤとを対応付けて保持する。これにより、例えば「電子透かし」に追記されていれば関連する電子文書を取得し、「著作権」に追記されていれば著作権を強調して印刷する等、領域毎に異なる処理を割り当てることができる。
【０２１４】
（変形例）
また、上述した各実施の形態に限定されるものではなく、以下に例示するような種々の変形が可能である。
【０２１５】
（変形例１）
上述する実施の形態では、二次元バーコード等の埋込情報に埋め込む情報より関連文書や画像と対応する電子文書を取得した。これらの電子文書を取得するための二次元バーコードが付加された紙文書はどのようなものでもよい。そこで、変形例１では、対応する電子文書を取得できる紙文書の一例について説明する。具体的には、対応する電子文書を取得するため、電子文書の各ページに二次元バーコード等情報を埋め込む。そして、電子文書を印刷した場合、１ページのみであっても必ず二次元バーコード等が付加されている。これにより、この１ページをＭＦＰやスキャナで読み取ることで、読み取られたページを含む電子文書全体を取得することができる。
【０２１６】
（変形例２）
次に、変形例１とは異なる例における対応する電子文書を取得可能な紙文書の一例について説明する。本変形例では、取得する対象となる電子文書の概要を記載した電子文書を生成し、取得する対象となる電子文書を特定する情報を含んだ二次元バーコードを生成した電子文書に付加する。利用者は、二次元バーコードを付加した概要のみ記載されている電子文書を印刷し、紙文書として他の利用者に配布する。他の利用者は、概要のみ記載されている紙文書に対してスキャナあるいはＭＦＰで読み取りを行い、上述した実施の形態と同様の処理を行うことで紙文書に付加されていた二次元バーコードより全てが記載された電子文書を特定して、この特定された電子文書をネットワーク等を介して取得する。
【０２１７】
（変形例３）
次に、変形例１、２とは異なる例における対応する電子文書を取得可能な紙文書の一例について説明する。本変形例では、取得する対象となる電子文書はフルカラーで生成されており、この電子文書で二次元バーコードが付加されたページをモノクロで印刷する。そして、利用者は、この印刷されたモノクロのページによる紙文書を他の利用者に配布する。そして、他の利用者はこのモノクロのページによる紙文書をスキャナあるいはＭＦＰで読み取りを行い、上述した実施の形態と同様の処理を行うことで紙文書に付加された二次元バーコードからフルカラーの電子文書を取得することができる。
【０２１８】
（変形例４）
上述した実施の形態において加工処理部は、予め設定されているか、入力デバイスから入力された設定を用いて加工処理を行うこととしたがこれらに制限されるものではない。そこで本変形例では、利用者毎に異なる加工処理を行う場合について説明する。具体的には利用者毎に適した設定を記憶部で保持する。そして、利用者が利用者認証部で認証された後に出力処理部から出力する場合、利用者毎に適した設定で印刷するよう取得した電子文書の設定を変更してから出力する。
【０２１９】
図１８は、利用者毎の設定に応じて加工処理された電子文書の一例を示した説明図である。利用者毎の設定において、利用者が見ることを容易にするために文字サイズを大きくする設定が予め行われていたとする。そして、この利用者が情報処理装置に対して認証処理を行い、上述した実施の形態の処理手順により電子文書を取得した場合、取得した電子文書に対して加工処理部は、電子文書に含まれる文字に対して文字サイズを大きくする加工処理を行う。これにより、利用者は、自分に適した電子文書を取得することが可能になり、利便性が向上することになる。
【０２２０】
（変形例５）
上述した実施の形態においては、電子文書を出力する際に特に出力時の設定の変更は行っていない。そこで本変形例では、二次元バーコードに出力する際の設定を保持した場合の例について説明する。本変形例では二次元バーコードの出力する際の設定を保持するので、情報抽出部が出力する際の設定を抽出できる。そして、出力処理部は、この抽出された設定を利用して電子文書を出力する。これにより、最適な設定で電子文書を出力することができ、利便性が向上する。
【産業上の利用可能性】
【０２２１】
以上のように、本発明にかかる情報処理装置、情報処理方法、情報処理プログラム、コンピュータに読み取り可能な記録媒体及び情報処理システムは、画像に付加された情報を抽出する技術に有用であり、特に、画像から抽出された情報を用いて電子文書を取得する技術に適している。
【図面の簡単な説明】
【０２２２】
【図１】第１の実施の形態にかかる情報処理装置、ＭＦＰ及び公衆ネットワークを介して接続された埋込文書生成装置の構成を示すブロック図である。
【図２】第１の実施の形態にかかる埋込文書生成装置が保持するＩＤ文書対応テーブルのテーブル構造を示した図である。
【図３】第１の実施の形態にかかる埋込文書生成装置による取得した電子文書から二次元バーコードを付加するまでの概要を示した説明図である。
【図４】第１の実施の形態にかかる情報処理装置で取得してきた電子文書を保存する際に表示される保存の確認を促すウィンドウの一例を示した図である。
【図５】第１の実施の形態にかかる情報処理装置で入力処理した画像から関連する電子文書を取得するまでの概要を示した説明図である。
【図６】第１の実施の形態にかかる情報処理装置の加工処理部による取得した２段組の電子文書から、１段組のレイアウトに変更する加工処理が行われた場合の一例を示した図である。
【図７】第１の実施の形態にかかる情報処理装置のキーワード領域取得部で取得したページを表示処理部で表示処理した画面例を示した図である。
【図８】第１の実施の形態にかかる埋込文書生成装置における文書の取得から二次元バーコードを付加して出力するまでの処理の手順を示すフローチャートである。
【図９】第１の実施の形態にかかる情報処理システムにおける紙文書の読み込みから、利用者が紙文書に追記した行と対応した関連する電子文書を取得して印刷するまでの処理の手順を示すフローチャートである。
【図１０】第１の実施の形態にかかる情報処理装置におけるＭＦＰから画像を入力処理してから関連する電子文書に対してキーワード検索して結果を表示するまでの処理手順を示すフローチャートである。
【図１１】第１の実施の形態にかかる情報処理装置と埋込文書生成装置の機能を実現するためのプログラムを実行したＰＣのハードウェア構成を示した図である。
【図１２】第１の実施の形態にかかるＭＦＰのハードウェア構成の一例を示すブロック図である。
【図１３】第２の実施の形態にかかる情報処理装置の構成を示すブロック図である。
【図１４】第２の実施の形態にかかる情報処理装置が読み込む対象となる紙文書に付加された二次元バーコードが保持する領域対応情報を説明した説明図である。
【図１５】第２の実施の形態にかかる情報処理装置が入力処理した画像から対応する電子文書を取得して加工処理するまでの概要を示した説明図である。
【図１６】第２の実施の形態にかかる情報処理装置における画像を入力処理してから領域加工処理部で加工処理されて表示処理部で表示するまでの処理の手順を示すフローチャートである。
【図１７】第２の実施の形態の変形例１にかかる情報処理装置が読み込む対象となる紙文書で処理と対応付けられた領域と、この紙文書に付加された二次元バーコードが保持する領域対応情報の一例を示した説明図である。
【図１８】変形例４にかかる情報処理装置の加工処理部で利用者毎の設定に応じて加工処理された電子文書の一例を示した説明図である。
【符号の説明】
【０２２３】
１０、１１  紙文書
２０、２１  プリンタ
３０  スキャナ
４０  モニタ
５０  キーボード
６０、６１  公衆ネットワーク
７０  サーバ
１００、１３００  情報処理装置
１０１  記憶部
１０２、１３０１  利用者入力処理部
１０３  利用者認証部
１０４  キーワード入力受付部
１０５、１３０２  画像入力処理部
１０６、１３０３  情報抽出部
１０７、１３０４  特徴量取得部
１０８、１３０５  判断部
１０９、１３０９  電子文書取得部
１１０  キーワード検索部
１１１  キーワード領域取得部
１１２  加工処理部
１１３  表示処理部
１１４、１３０７  出力処理部
１１５、１３０８  通信部
１５０  埋込文書生成装置
１５１  記憶部
１５２  対象文書取得部
１５３  領域分割部
１５４  関連文書取得部
１５５  関連文書登録部
１５６  領域特徴抽出部
１５７  埋込情報生成部
１５８  埋込情報付加部
１５９  埋込文書出力処理部
１６０  通信部
１６１  関連文書取得部
１７０  ＭＦＰ
１７１  文書読取処理部
１７２  印刷処理部
１７３  記憶部
１７４  電子文書入力処理部
１７５  画像出力処理部
１７６  通信部
３０１  処理対象電子文書
３０２  領域分割された電子文書
３０３  生成された領域対応情報
３０４  二次元バーコード
３０５  二次元バーコードが付加された電子文書
５０１  入力処理画像
５０２  画像から分離された二次元バーコード
５０３  二次元バーコードから抽出した領域対応情報
５０４  画像の各行から算出された輝度平均
５０５  文書ＩＤで埋込文書生成装置に検索
５０６  取得した関連する電子文書
１１０１  ＣＰＵ
１１０２  ＲＯＭ
１１０３  ＲＡＭ
１１０４  外部記憶装置
１１０５  表示装置
１１０６  入力装置
１１０７  通信Ｉ／Ｆ
１１０８  バス
１２０１  システム制御部
１２０２  システムメモリ
１２０３  パラメータメモリ
１２０４  時計回路
１２０５  操作表示部
１２０６  ページメモリ
１２０７  プリンタエンジン
１２０８  給紙搬送系ユニット
１２０９  通信インターフェース回路
１２１０  磁気ディスク装置
１２１１  スキャナエンジン
１２１２  内部バス
１３０６  領域加工処理部
１５０１  入力処理画像
１５０２  追記領域の特定
１５０３  画像と電子文書の照合
１５０４  加工処理後の電子文書
【図１】
2006229874.tif 000003
【図２】
2006229874.tif 000004
【図３】
2006229874.tif 000005
【図４】
2006229874.tif 000006
【図５】
2006229874.tif 000007
【図６】
2006229874.tif 000008
【図７】
2006229874.tif 000009
【図８】
2006229874.tif 000010
【図９】
2006229874.tif 000011
【図１０】
2006229874.tif 000012
【図１１】
2006229874.tif 000013
【図１２】
2006229874.tif 000014
【図１３】
2006229874.tif 000015
【図１４】
2006229874.tif 000016
【図１５】
2006229874.tif 000017
【図１６】
2006229874.tif 000018
【図１７】
2006229874.tif 000019
【図１８】
2006229874.tif 000020